(57)【要約】サンプル中の選択分析物の存在を、電気化学的システム内において、電導電池タイプの装置を使用して評価する。電池の二つの電極間に十分な電位または電流を発生させて分析物または分析物検出酸化還元系内の媒体を酸化または還元させ、二つの電極間に分析物または媒体の化学的電位勾配を形成させる。勾配の設定後、電位または電流の印加を中止し、化学的電位勾配の緩和から分析物非依存性の信号を取得する。分析物非依存性の信号は、電位または電流印加中に取得した分析物依存性の信号の補正に使用する。この補正により、分析物濃度の測定が改善される。それは別の較正値を必要とせずに、分析物および／または媒体の輸送（移動性）、有効電極面積および電極間隔（および結果として、サンプル量）等の装置特有、テスト特有の係数を補正するからである。本分析は手持ちメーター中の使い捨てテストストリップを使用して、例えばグルコーステストで実行可能である。
2007503577.tif 000002
【特許請求の範囲】
【請求項１】
選択分析物の存在についてサンプルを評価する方法であって、該方法は、
（ａ）該サンプルを電導電池の二つの電極間の空間に導入する工程と、
（ｂ）分析物検出酸化還元系における分析物または媒体の酸化または還元をもたらすのに十分な電位または電流を、該二つの電極間に印加して、それによって、該二つの電極間に該分析物または媒体の化学的電位勾配を形成する工程と、
（ｃ）該勾配が確立した後、該電位または電流の印加を中止し、そして該化学的電位勾配の緩和を反映する分析物非依存性の信号を取得する工程と、
（ｄ）該分析物非依存性の信号取得後、該電極間に電位または電流を必要に応じて印加する工程と、
（ｅ）該工程（ｂ）または（ｄ）、あるいはその両工程で、該電位または電流を印加中に、分析物依存性の信号を取得する工程と、
（ｆ）該工程（ｃ）で取得した該分析物非依存性の信号を使用して、該工程（ｅ）で取得した該分析物依存性の信号を補正し、該サンプル中の該選択分析物の存在を示す補正された分析物依存性の信号を取得する工程と、
を包含する、方法。
【請求項２】
前記工程（ｂ）で前記電極間に電位を印加し、この印加された電位の結果として発生した電流を、前記分析物依存性の信号として測定する、請求項１に記載の方法。
【請求項３】
前記電位を安定状態条件に達するまで印加し、その後該電流を測定する、請求項２に記載の方法。
【請求項４】
前記電流を安定状態条件に達する前に測定する、請求項２に記載の方法。
【請求項５】
前記工程（ｂ）の前記電極間に電流を維持し、この電流の結果として発生した電位を、前記分析物依存性の信号として測定する、請求項１に記載の方法。
【請求項６】
前記電流を安定状態条件に達するまで維持し、その後前記電位を測定する、請求項５に記載の方法。
【請求項７】
前記電位を安定状態条件に達する前に測定する、請求項５に記載の方法。
【請求項８】
前記化学的電位勾配が、緩和に先立って、前記電極間の距離の少なくとも１０％に広がる、請求項１から７のいずれかに記載の方法。
【請求項９】
前記化学的電位勾配が、緩和に先立って、前記電極間の距離の少なくとも８０％に広がる、請求項８に記載の方法。
【請求項１０】
電気化学的電池の第一電極と第二電極との間の有効分離距離を決定するための方法であって、該方法は、
外部の力を印加電位または印加電流の形で印加し、化学的電位勾配を該第一電極と該第二電極との間に発生させる工程と、
該外部の力の印加を停止する工程と、
該化学的電位勾配の減衰を時間の関数として観察する工程と、
該化学的電位勾配の減衰の観察から、該有効電極分離距離を計算する工程と、
を包含する、方法。
【請求項１１】
電気化学的電池の第一電極と第二電極との間の有効輸送特性を決定するための方法であって、該方法は、
外部の力を印加電位または印加電流の形で印加し、化学的電位勾配を該第一電極と該第二電極との間に発生させる工程と、
該外部の力の印加を停止する工程と、
該化学的電位勾配の減衰を時間の関数として観察する工程と、
該化学的電位勾配の減衰の観察から、電機化学的システムの有効輸送特性を計算する工程と、
を包含する、方法。
【請求項１２】
電気化学的電池に配置されているサンプル中の分析物の存在を決定するための装置であって、該電気化学的電池は、２つの電極を備え、該電極間に該サンプルが分析のために置かれ、該装置は、
（ａ）該電気化学的電池を受容するための空間を有するハウジングと、
（ｂ）該電気化学的電池が該ハウジング内に受容された場合、該電気化学的電池の該二つの電極間に電位または電流を印加するための手段と、
（ｃ）該電位または電流が印加されているとき、該電気化学的電池内に発生する、分析物検出システム中の、分析物または媒体の酸化または還元を測定するための手段と、
（ｄ）該二つの電極間に化学的電位勾配が確立される間の時間の後、該電位または電流を切断するための手段と、
（ｅ）該電位または電流を切断した後、該化学的電位勾配の減衰をモニタリングするための手段と、
（ｆ）該測定した酸化または還元を、モニタリングした減衰と組合せて、該サンプル中の該分析物の存在の指標を生成するための、プログラム化データ処理手段と、
（ｇ）該サンプル中の該分析物の存在の該指標を、ユーザーに伝えるための出力手段と、
を備える、装置。
【請求項１３】
前記ハウジング内に配置された電気化学的電池をさらに備える、請求項１２に記載の装置。
【請求項１４】
前記電気化学的電池が、１回使用の使い捨て式テストストリップである、請求項１３に記載の装置。
【請求項１５】
前記ハウジングが、ヒトの手に保持され得るサイズである、請求項１２から１４のいずれかに記載の装置。
【発明の詳細な説明】
【技術分野】
【０００１】
（記載）
本出願は、米国仮出願６０／４９６，７８７（２００３年８月２１日出願）および米国仮出願６０／５２９，６４８（２００３年１２月１５日出願）の利益を主張する。米国仮出願６０／４９６，７８７および米国仮出願６０／５２９，６４８の両方は、そのような援用を許可する全ての管轄において、本明細書中で参考として援用される。
【０００２】
（発明の背景）
本出願は電気化学的特性の分析のための方法と装置に関し、特に少量のサンプルから例えばグルコース等の分析物を決定する方法と装置に関する。
【背景技術】
【０００３】
分析物を定量または検出する電気化学的方法は、その装置製造の簡易性と使用の容易性のため、広く採用されてきた。電気化学的センサーは電位差計量装置、または電流計測装置の形式をとってきた。電位差計量装置は原子上のチャージの効果とその位置を測定するものであり、例えばケミカルフィールドエフェクトトランジスター（ｃｈｅｍＦＥＴ）、およびイオン選択性電極（ｐＨ電極を含む）などである。電流計測装置は、電位を加え、その結果生じる電流を測定する原理で作動し、発生した電流の規模は通常存在する分析物の量に関係する。あるいは全時間における合計チャージを、サンプルのある領域中の分析物の量を代表するものとして使用することもできる。電気化学的電流の発生可能な化合物の範囲は、チャージをもたらすものよりも小さいため、電流計測装置はより多くの選択の機会を提供する。したがって電流計測センサーには、環境監視や医薬品まで広範な分野において多くの努力が集中されてきた。
【０００４】
ますます微細化するサンプルに対して低コストで測定する機会がますます増加することが求められているということは、電流計測センサーが自然の限界に達することを意味する。電流計測分析の古い形式では電導電池が使用され、サンプル内の一極から他極への種の移動は、その濃度に関連していた。この手法では、電極領域や分離の変動を補正するための慎重な電池対電池の較正が必要であり、これは電池読取補正用の単一の電池定数として表現されていた。電流計測分析のより最近の形では、急速な読取は調査対象の電極の近くの種にのみに効果のある結果となった。しかしサンプルが微細化する現在の傾向では、一つの電極での反応の影響は、他の電極にあっては望ましくない外部干渉として直ちに感じられ、仮にその影響を除去できるとしても（たとえば銀・塩化銀の陰極を使用して）、通過電流の低い小さなサンプルサイズでは、正確な測定がさらに困難となろう。さらに極小の使い捨て装置からの読取は、製造上の公差の限界からも不確かなものとなる。このように、製造、環境、およびサンプルの変動に対する独自の補正係数を生み出すことができる極小の電導電池における電気化学的定量分析を実行するための方法と装置が、有用且つ有益であろう。
【発明の開示】
【課題を解決するための手段】
【０００５】
（発明の要旨）
本発明はサンプル中の選択分析物の存在を、電導電池式装置を使用する電気化学システム中で評価する方法に関するものである。本方法は、
（ａ）電導電池の二つの電極間のスペースに当該サンプルを導入する工程と、
（ｂ）電位または電流を前記二つの電極間に印加し、分析物または分析物検出酸化還元系中の媒体を酸化または還元させ、これにより前記二つの電極間に前記分析物または媒体の化学的電位勾配を形成する工程と、
（ｃ）勾配が形成された後、電位または電流の印加を中止し、前記化学的電位勾配の緩和を現す分析物非依存性の信号を取得する工程と、
（ｄ）任意で、前記分析物非依存性の信号を取得後、電極間に電位または電流を印加付加する工程と、
（ｅ）（ｂ）または（ｄ）、または両段階における電位または電流の印加中、分析物依存性の信号を取得する工程と、
（ｆ）段階（ｃ）で取得した前記分析物非依存性の信号を使用して、段階（ｅ）で取得した前記分析物依存性の信号を補正し、サンプル中の選択分析物の存在を示す補正された分析物依存性の信号を取得する工程と、を含む。
【０００６】
分析物依存と非依存の二つの信号を使用することにより、分析物依存性の信号のみを使用しているより、改善された分析物濃度の測定が得られる。これは分析物非依存性の信号は、別途の較正値を必要とせずに、分析物および／または媒体の移送（移動性）、有効電極領域、および電極スペース（結果としてサンプルの容積）等の装置およびテスト特有の係数の情報を提供するからである。これは、本発明の自動較正に係わる方法と装置の使用によって、コストの増加なしに本測定の正確性を改善することができることを意味する。
【０００７】
本発明はさらに本発明の方法を実行するために使用する装置を提供する。本装置はハウジングを包含し、その中に発生可能で第一および第二の信号を監視する電子技術を内蔵する。好適な実施例において、ハウジングは手に持つことができるサイズであり、血液グルコースのテストにおいて既知のタイプの使い捨て式１回使用のテストストリップを受け取るための開口部を有する。
【０００８】
（発明の詳細な説明）
（定義）
ここで使用される場合、「分析物」という用語は、実験または装置が検出および／または測定しようとする化学的或いは生物学的な種を指す。
【０００９】
ここで使用される場合、「干渉物」という用語は、化学的或いは生物学的な種で分析物の分析における干渉物質であり、サンプル中に存在し、且つ検出や測定の誤差の原因となるものを指す。
【００１０】
ここで使用される場合、「自動補正」という用語は、装置使用中に取得した当該装置の情報が、他の装置使用中にその装置から他の情報形式に適用され、全部または一部の情報の精度を改善するための行程を指す。
【００１１】
ここで使用される場合、「電導電池（ｃｏｎｄｕｃｔｉｏｎ  ｃｅｌｌ）」という用語は、溶液と接触する二つの電極より構成される装置で、溶液のコンダクタンスを二つの電極間を通過する電流により算出できるものである。
【００１２】
ここで使用される場合、「電導性電池（ｃｏｎｄｕｃｔｉｖｉｔｙ  ｃｅｌｌ）」という用語は電導電池を指す。
【００１３】
ここで使用される場合、「サンプル係数」という用語は、当該サンプル溶液の特性を測定するため、そこから電気化学的信号が記録されたサンプル溶液に係わる特性、および／または係数を指す。例としては、分析物固有濃度、干渉物質濃度、溶液の粘度、サンプルの誘電率、サンプルの微粒子負荷等であるが、これに限るものではない。
【００１４】
ここで使用される場合、「装置係数」という用語は、サンプル溶液の電気化学信号測定に使用される装置に係わる特性および／または係数を指す。例としては、電極幾何特性、電極寸法、装置の保護層でポリマーメッシュや塗装を含むものもあるが、これに限るものではない。
【００１５】
ここで使用される場合、「電位差緩和」という用語は、時間とともに変わる電位の変化を指す。電位差緩和の例としては、付加された電位が除去され、且つ実質的にゼロの電流が電極間を流れた場合、二極間の電位の変化を含む。この電位変化は、サンプル中で、二極と電解接触下の還元した化学種と、酸化した化学種の濃度プロフィール中の変化の結果でありうる。
【００１６】
ここで使用される場合、「環境係数」という用語は、「サンプル係数」や「装置係数」以外の特性および／または係数を指す。例としては、温度、湿度、機械的振動、および周辺無線電波を含むが、これに限るものではない。
【００１７】
ここで使用される場合、「有効電極範囲」という用語は、サンプルと電解的接触のある電極の範囲を指す。有効電極範囲は電極の幾何学的改定や、電極とサンプルとの部分接触により変化することもある。
【００１８】
ここで使用される場合、「電解的接触」という用語は、少なくとも一本の電極が、電気化学的情報を収集するように配置された電気化学システムを保有することを指す。例としては、サンプルと物理的な接触を有する電極；膜、フィルム、その他の物質によってサンプルと分離された電極；および水性媒体によってサンプルと分離された電極があるが、これに限るものではない。電気化学的情報の例には、ファラデー電流、非ファラデー電流、および化学的電位が含まれる。
【００１９】
ここで使用される場合、「静的状態」という用語は、条件中のある特定の性状、たとえば数値、比率、周期性や振幅等で、強制的長時間にわたって無視できる変化しか示さない状態を指す。又この語句には、最初の過渡現象、または浮動的条件のすべて、またはそのほとんどが消滅し、全電流、電圧や電界が実質的に一定となり、均一または実質的に均一となった後に存在する状態も含む。さらにこの語句は、ほとんど静的状態に近い状態も包含する。「静的な状態」は「静的状態」をさす。
【００２０】
ここで使用される場合、「ＲＡＣ」という用語は、酸化還元活性化合物を指す。これらは酸化―還元反応に参加できる物質である。ＲＡＣの例には、酸塩、ヘキサシアノ鉄（ＩＩ）酸塩、フェロセン、酸素、過酸化水素を含む。酸化還元活性化合物の種としての確認は、電気化学的電池、およびその電池の電位差によると評価される。たとえばある化合物は、一目的の使用ではＲＡＣであり、且つ他の環境下では非酸化還元活性化であろう。
【００２１】
ここで使用される場合、「ＮＲＡＣ」という用語は、ＲＡＣではない物質を指す。
【００２２】
「分析物検出酸化還元系内の媒体」という用語は、それ自体が分析物ではないがＲＡＣである電気化学的信号源を指す。この「分析物検出酸化還元系」とは、ＮＲＡＣ分析物の電気化学的検出を許容するシステムである。グルコース検出用の分析物検出酸化還元系は、グルコースを酸化できるグルコースオキシダーゼ等のエンチームと、エンチームを再酸化し活性化することができるＲＡＣ媒体から構成される。図１には、グルコース検出用の分析物検出システムの反応を示す。
【００２３】
ここで使用される場合、「刺激性波形」という用語は、時間的変化、時間的不変化、ＡＣおよび／またはＤＣ使用可能な、電気化学的センサーシステムに付加される電圧または電流を指す。
【００２４】
ここで使用される場合、「選択分析物の存在確認のためサンプルを評価する」という語句は、分析物の存在の定量的検出、即ちサンプル中に検出可能な量の分析物が存在するか否か、半定量検出、即ちサンプル中に分析物が予定しきい値より多く存在するか否か、および定量評価、即ち現存する分析物の数値量の決定を包含する。
【００２５】
「分析物依存性の信号」という用語は、観察された電気化学的信号を指すが、形式
は電流または変化する電位で、その規模は分析物の存在や量に依存する。分析物依存性の信号は、分析物の存在や量にのみ依存する必要はなく、本応用で論じた非補正信号は、分析物の存在および／または量以外の係数に、事実依存している。
【００２６】
「分析物非依存信号」という用語は、信号でその時間領域特性が分析物の量以外の係数に依存するものを指す。分析物非依存信号の存在は、分析物の存在に依存するが、しかし信号の減衰率、即ち時間領域性格は、少なくとも通常の測定中遭遇する領域では依存しないと評価される。
【発明を実施するための最良の形態】
【００２７】
（本発明の方法）
本発明の第一段階では、選択分析物の存在確認のためサンプルを評価する方法が提供される。本方法には、分析物または分析物検出酸化還元系中の媒体に、酸化または還元をもたらす十分な電位または電流を、本電気化学的システムに付加する工程を含んでいる。この電位や電流の付加によって、二つの電極間のスペースに、分析物または媒体の化学的電位勾配が形成される結果となる。
【００２８】
勾配が樹立された後、電位や電流の付加は中止され、装置は放置され、その中で還元または酸化された形式での分析物または媒体は、両電極間の濃度勾配中に配分される。
この勾配は電極間に電位差を形成し、電位または電流の付加休止の場合に、本勾配および関連する電位差は均一配分の平衡状態へと緩和する。本緩和の時間経過は、電位差の監視によりモニタリングできる。この緩和の時間経過は、有効電極範囲、温度、電極スペース、へマトクリット値等の係数に依存するが、分析物の濃度には実質的に依存しない。
【００２９】
電位の低下の監視後、外部電位をできれば再度システムに付加する。電位の初回の付加時、二回目の付加時、または両方の付加時に、システムをモニタリングすることで、非補正の分析物依存性の信号を得る。電位のオンオフのサイクル追加も可能で、測定はこのサイクルのいずれでも、またいずれの組み合わせでも行うことができる。非補正の分析物依存性の信号は、それ自身、分析物の存在の目安を供与できるものである。本発明の望ましい実施例では、電位は付加され、この分析物依存性の信号は、分析物の電流計測定評価から抽出した電流信号である。またこの分析物依存性の信号は、両極間の好ましい電流を維持する結果としての電位差でもあろう。このようにして、分析物依存性の信号は、選択分析物の存在・濃度に依存する信号成分から構成されており、且つ他の係数からも構成されている。これには選択分析物の存在や濃度に依存しないサンプル係数、環境係数、および装置係数が含まれている。
【００３０】
さらに厳密な分析物の調査のためには、分析物非依存の係数に対する原始分析物依存性の信号を補正することが望ましく、またそれが本発明の目的である。このように本発明の最終段階は、補正済み分析物依存性の信号の形成のため、観察された分析物非依存性の信号に基づいて、非補正の分析物依存性の信号を補正することである。ついで本信号を使用者に便利な出力に変換することが望ましく、例えばサンプル中の分析物の存在や濃度が目視できるような形式にする。
【００３１】
勾配の発生のため、および勾配緩和後選択的にシステムに付加した電位は、時間的不変化または時間的変化の電位であろう。参照としてここで収録したＰＣＴ公報ＷＯ０３／０６０１５４およびＷＯ０３／０６９３０４は、分析物依存性の信号を発生させる時間的変化の電位の使用について、それぞれ記載している。
【００３２】
図２は本発明の実施例を図示しているが、そこでは分析物濃度以外のソースから、電導電池の電気化学的センサーで発生する測定変動に対して補正を行う。すべての矢印は、ラベル標示つき以外、通信チャンネルのセットを示し、物理的導線による電気通信、無線通信、および伝達の多チャンネルを含むが、これに限るものではない。
【００３３】
図２に示すように、変換制御装置（ＴＣＡ）５は、刺激性波形信号１０を電気化学的電池５０に付加する。電気化学的電池５０は電導電地であり、電極Ａ５５と電極Ｂ６０で示される二つの電極で構成される。サンプル７０は、少なくとも電極Ａ５５と電極Ｂ６０と電解的に接続し、且つ酸化還元活性化合物６５と非酸化還元活性化合物８０から構成される。ＴＣＡ５は定電位と定電流運転の手段を保有し、必要に応じて両者のモードに転換できる。定電位運転にあっては、電位が付加され、電流が発生する。電位は電極で酸化・還元される分析物または媒体の酸化還元特性に基づいて決定される。定電流運転では、電流が付加され、電位が発生する。
【００３４】
刺激性波形信号１０により、サンプル７０内の少なくとも１つのＲＡＣ６５および／またはＲＡＣ  ８０において、電極Ａ５５と電極Ｂ６０で示される各電極で、電気化学的信号７５を発生させる。信号１０は多分電流信号か電位信号であろう。信号１０は実質的にはゼロアンプ、非ゼロアンプ、ゼロボルト、および／または非ゼロボルトであろう。この応定答信号７５は、変換制御装置５によって検出され測定される。信号７５は電流信号か電位信号であろう。
【００３５】
刺激性波形信号１０および応答信号７５のデジタル処理を容易とするため、アナログ信号をデジタル信号に変換するアナログ・デジタル変換器（ＡＤＣ）１５が使用できる。ＡＤＣとともに濾過用にアンチ−エイリアシングフィルターが使用可能で、信号はデジタル化以前に濾過される。技術上のひとつの手段として、このようなフィルターをＡＤＣ自体の構成部品とすることが考えられる。
【００３６】
電算装置２５は、ＡＤＣ  １５よりデジタル化した信号を処理のため受け取る。この電算装置は補正処理３０を実行するようプログラムされており、且つデータ保存３５を包含する。例えば、プログラムコマンド、参照データおよび結果を保存可能なデータ保存ディスク、光ディスクや書込み可能なメモリーである。
【００３７】
補正処理３０では、データ記憶３５に保存の関数および／または方程式を使用し、分析物濃度以外のソース起因の変化を補正する信号を修正し、且つ有用な抽出量を計算する。有用な抽出量の一例としては、サンプル中の希望する分析物の濃度がある。また補正処理３０は、データ記憶３５中に含まれる較正データの使用を可能とする。
【００３８】
抽出された量は有用な方式で出力４５に送られる。出力の有用な方式の例としては、ユーザーに視覚で展示する分析物の濃度があり、また電子的手段で転送され保存された分析物の濃度がある。純粋に質的決定の場合の有用な出力とは、二元的表示の形式をとり得る。例えば、イエス・ノー、照明表示の赤色・青色オンオフ状態、または可聴信号等による。
【００３９】
本発明の１つの実施例では、電位が電池の電極間に付加され、この付加電位のとして発生の電流を、分析物依存性の信号として測定する。電位は安定状態に達するまで付加することが可能で、その後電流を測定する。これとは逆に電流は、安定状態に到達以前に、電流過渡中に測定できる。
【００４０】
本発明の方法による測定中は、サンプルは二つの電極間に置かれ、酸化と還元の両形態の電気化学的活性種で構成される。これらの形態のひとつは、問題の分析物の量に関係する濃度である。他の形態は超過状態である。電位差を両電極間に付加すると、一方の電極には還元した形式の酸化を生じさせ、他の電極には酸化した形式の還元が生じる。これにより、
（ｉ）両電極近くの溶液環境内の化学的電位の差、および
（ｉｉ）両電極に接続する回路中の電流
を発生する。
化学的電位中の差は電気化学的活性種の両形式の濃度勾配を創造し、これが拡散を促進する。化学的電位中の安定した差を維持することにより、拡散は安定状態に到達可能であり、且つ電流も安定したレベルに到達する。
【００４１】
両電極間の電気的交信の除去は、濃度勾配の維持を防ぎ、拡散により弱まり始める。濃度勾配の弱体化は、各電極近くの化学的電位の変化を招く結果となる。この変化は両電極間の電位差の測定によりモニタリングできる。安定的電位の付加時に、両電極間に流れた測定電流の大きさは、分析物濃度に実質的に依存し、且つ電気化学的活性種の移動性に実質的に依存することが判明した。両電極間の電気的な分離時の電位の変化は、その移動性に実質的に依存することが分かったが、分析物濃度には実質的に依存していない。移動性に実質的に依存していない分析物濃度の手段は、これら二つの適切な組み合わせによって抽出できる。
【００４２】
安定的電位、または化学的電位を実質的に不安定化することなしに変化する電位の付加によって、安定的電流を維持するか（即ち、クロノポテンシオメトリー）、またはシステムの他の面を刺激すること（即ち、インピーダンス分光）によって、適切な化学的電位差を発生できる。
【００４３】
両電極の付加によって化学的電位の適切な摂動が生じ、化学的電位中の変化が、電流が安定状態に到達することなく、両電極の従属的電気分離によりモニタリングされる。この場合、過渡電流を測定するが、これは実質的に分析物濃度と電気化学的活性種に依存している。電気的に分離した場合の両電極間の電位の変化は、その移動性に実質的に依存することが再び判明したが、分析物濃度には実質的に依存していない。このため、移動性に実質的に依存しない分析物濃度の測定が、これら二つの適切な組み合わせにより再び抽出できる。相互依存の形式は安定状態の場合と変わるであろうが、移動性の依存を除去する能力は維持される。
【００４４】
本発明の他の実施例にあっては、電流を電池の両電極間に付加し、この付加電位の結果として発生した電位差を、分析物依存性の信号として測定する。電流は安定的電位が得られるまで付加可能で、そこで電位差を測定する。一方、電位差は安定状態となる以前、電位過渡時に測定できる。
【００４５】
これらのサンプルの実施例にあって、電気化学的電池デザイン、刺激的波形、および信号分析処理は、対象の分析物濃度以外の変化による誤差を削減するため、電導電池センサーが達成する測定を改善するべく設計される。
【００４６】
化学的物質の濃度と輸送特性測定のための電導電池の使用については、すでに記述されている（ＭａｃＩｎｎｅｓ，１９３９）。イオン等のチャージされた種の特殊なケースでは、その種の輸送特性に寄与する四つの係数、つまり濃度勾配、電位勾配、温度勾配、対流（たとえば機械的騒乱による）が典型的に存在する（Ｃｒｏｗ，１９８８）。電気化学的センサーシステムの場合、濃度勾配および電位勾配は、輸送特性に大きく寄与する係数であると、一般的に想定されている。さらにＳｃｈｍｉｄｔ−Ｗｅｉｎｍａｒ（１９６７）は、電極を２００ミクロン以下の距離、できれば１５０ミクロン以下の距離を置くことにより、対流効果は電導電池システムより効果的に除去できることを示した。
【００４７】
図３は従来の電導電池の一般的原理を図示する。この図はヘキサシアノ鉄（ＩＩ）酸塩・ヘキサシアノ鉄（ＩＩＩ）酸塩酸化還元カップルを使用する特定システムを指す。本カップルは無制限サンプルとして参照されるが、本カップルが唯一採用可能なサンプルであることを意味するものではない。二つの電極１００および１０５が、実質的に平行の位置におかれ、問題の種を包含するサンプルと電解的に接触している。導電電池の幾何学的要素が本発明を制限することはない。作業の原理は他の多くの幾何学的要素でも有効であり、それには非平行対面配置、各電極に対する異なる区域、および共面配置等である。本例では、酸化還元活性化合物（ＲＡＣ）はヘキサシアノ鉄（ＩＩ）酸塩１２０とヘキサシアノ鉄（ＩＩＩ）酸塩１２５であり、酸化還元カップルを形成している。電位源１１０が両電極間に電位差を課している。本サンプルでは、陰極電極１００が陰極として作動し、還元反応が起こりヘキサシアノ鉄（ＩＩ）酸塩１２５をヘキサシアノ鉄（ＩＩＩ）酸塩１２０に変換する。陽極電極１０５は陽極として作動し、酸化反応が起こりヘキサシアノ鉄（ＩＩ）酸塩１２０をヘキサシアノ鉄（ＩＩＩ）酸塩１２５に変換する。この過程で、与電極で反応する各分子に対して、エレクトロン１１５が陽極１０５から陰極１００に移転する。矢印１３５および１３０は、例えば拡散等の輸送過程を示し、サンプル中の種の移転に貢献する。
【００４８】
本発明のある種の実施例にあっては、測定した分析物の種が、他の化学反応によって生産、消費、および／または変更されることがある。図１に酵素リンクのバイオセンサー中における本例を図示するが、そこではグルコース５００等の基質が酸化グルコース等の酵素と反応し、その酵素を酸化状態、ＧＯＤｏｘ５１０から還元状態、ＧＯＤｒｅｄ５１５へと変換する。例えばヘキサシアノ鉄（ＩＩＩ）酸塩５２５は、還元した酵素ＧＯＤｒｅｄ５１５と反応可能で、ヘキサシアノ鉄（ＩＩ）酸塩５２０へ還元している過程で、それを酸化形態ＧＯＤｏｘ５１０に変換する。このように本例において、ヘキサシアノ鉄（ＩＩＩ）酸塩とヘキサシアノ鉄（ＩＩ）酸塩の量は、測定前、測定中や測定後にサンプル中に発生するような他の過程によって、変化することもある。本サンプル中のヘキサシアノ鉄（ＩＩ）酸塩濃度の決定は、グルコースの濃度と関連することになろう。
【００４９】
図３に示したような１つの電導電池は、分析物やＲＡＣ種の濃度および輸送特性を、そのサンプル媒体を通じて決定するのに使用できる（ＭａｃＩｎｎｅｓ，１９３９）。このような電池は、両電極間にＤＣまたはＡＣ電位を付加することによって使用できる。ＡＣ電位は、各電極における電気化学的反応産物を削減するため、使用されてきた。しかし用途による必要性によって、いずれの方法も分析物の輸送特性の決定に使用できる。
【００５０】
電導電池の輸送特性決定のため、電圧に応じて電池中を流れる電流を測定する。電池の抵抗は、結果的な電流に付加した電圧の比率をとって計算した。サンプルの導電率ｋは、以下の式によって計算できる。
【００５１】
【数１】
2007503577.tif 000003
ここでｈは電極間の距離、Ｒは抵抗、Ａは各電極の面積であり、同一とみなす。電導電池の電池定数、Ｋｃｅｌｌは以下の数量とする。
【００５２】
【数２】
2007503577.tif 000004
このように電導電池の電池定数がわかれば、未知のサンプルの伝導率は、以下のように電池の抵抗の測定で決定できる。
【００５３】
【数３】
2007503577.tif 000005
サンプルの導電率は濃度の関数であり、且つ分析物の輸送特性なので、以前の研究では、拡散係数等の輸送特性、および濃度勾配と電位勾配による分析物移動性を決定する方法を、このように設定した。これらは導電電池電気化学的センサー中に存在し得るものである。導電性が輸送特性および濃度等の係数にいかに関係するかは、実験上の特定性格に依存する。
【００５４】
本方法を成功させるためには、電池定数を知らなければならない。これを実行する従来の方法は、既知の導電率のサンプルを使用して、電池定数を決定するため電池を較正し、ついで同じ電池を使用して未知のサンプルの導電率を測定することである（ＭａｃＩｎｎｅｓ，１９３９）。
【００５５】
本方法のバリエーションも知られている。導電測定はサンプル中の濃度と輸送特性を決定するため、日常的に使用されてきた。たとえば、浄水作業にあって、イオン種の濃度は導電率測定で決定されてきた。他の例では、分析物の拡散特性は、サンプル中の分子物質のレベル決定に使用されてきた。特殊な場合、血液中のヘマトクリットのレベル決定に導電測定を使用することもできる。このことが特に重要になる一例は、血液グルコースセンサーのためである；そのセンサーの読取りは、血液サンプルのヘマトクリットや粘度のレベルによって深刻な影響をうける。これは拡散および／または移動等の輸送特性が影響されるからである。
【００５６】
例えば、ヘマトクリット等の分子物質、およびプロテイン、キロミクロン、および血小板等の他の係数は、血液グルコース測定中に関係する多くの化学種の輸送特性に影響する可能性がある。このように輸送特性は、グルコース等の分析装置の計算による分析物濃度の決定に関し、その効果の定量化に多くの関心が払われてきた。多くの係数が輸送に影響しうるが、これには、電場による移動、濃度勾配による拡散、サンプルや温度の移動による対流があるが、これに限るものではない；またアナログの取り組みも、これらの係数の結果である輸送変化を補正するため使用可能であろう。対流効果は以下により縮小−効果的に除去可能である；即ち導電電池内で電極のスペースを２００ミクロン以下の距離、できれば１５０ミクロン以下の距離とする（Ｓｃｈｍｉｄｔ−Ｗｅｉｎｍａｒ，１９６７）。
【００５７】
図３に測定に使用可能な電池の具形化の一例を図示する。この場合、目標分析物はヘキサシアノ鉄（ＩＩ）酸塩１２０で、この例では少数種としている。本サンプル中のヘキサシアノ鉄（ＩＩＩ）酸塩１３０は、多くとられ多数種となっている。サンプルと接触のある電極１００および１０５の間に、十分に大きな電位を付加すると、近傍の溶液の化学的電位を変える。これは少数種の１極の濃度がゼロに極めて近くに落ち、一方他の電極の濃度が約倍増するからである。一例では、電極Ａ１０５の電位が電極Ｃより十分高いと、電極Ａ１０５に酸化過程が生じ、電極Ｃには還元過程が生じる。通常の技術レベルでも、付加電位はイオン種の配分に影響を与え、またこれは電気化学的電位によってさらに十分表現できることを認識している。化学的電位としてここで論じた作用の根本的なパターンは、したがって説明的なもので、取り決めのためのものではない。ここで特別に公開する以外の、種に関する平衡力についての他の数式も、本発明の範囲内のものである。これらの力の例には、Ａｔｋｉｎｓ（１９９９）記述の濃度勾配に起因するもの等、熱力学的力、また対流中の媒体の運動による力も含む。
【００５８】
同一の回路モデルを使用し電圧を電池に付加して、電気交信を除去することによって、電池定数、Ｋｃｅｌｌを抽出する方法例では、電導電池に濃度勾配を創造することにより、貯蔵チャージ量を以下により表示できる：
貯蔵チャージ＝ｎＦ＊［ヘキサシアノ鉄（ＩＩ）酸塩］＊（電池の体積）。
したがって静電容量は付加電圧：Ｖａｐｐへチャージすることで創造される。
【００５９】
静電容量＝（貯蔵チャージ）／Ｖａｐｐ
静電容量＝ｎＦ＊［ヘキサシアノ鉄（ＩＩ）酸塩］＊（電池の体積）／Ｖａｐｐ
電極間の電気交信を除去すると、貯蔵したチャージを電池の抵抗Ｒのみを通じて、それ自体が放電される。この同一の回路モデルの放電の時定数は、両極間の時間経過に伴う電位の変化による標準方法で決定できる：
ここで
時定数＝Ｒ＊静電容量
である。
導電率は
κ＝Ｋｃｅｌｌ／Ｒ＝γ＊［ヘキサシアノ鉄（ＩＩ）酸塩］
ここでγは比例の定数で、以下を意味する。
【００６０】
Ｒ＝Ｋｃｅｌｌ／（γ＊［ヘキサシアノ鉄（ＩＩ）酸塩］）
故に、
時定数＝ｎＦ＊（電池の体積）＊Ｋｃｅｌｌ／（γ＊Ｖａｐｐ）
これはＫｃｅｌｌの濃度非依存の測定である。
【００６１】
イオン移動性の推定からの具体例では、電池に電圧を付加して作る両電極間の距離に伴う電位勾配を考慮する。この勾配に伴う種の移動については、すでに電導電池中の電流について述べている（ＭａｃＩｎｎｅｓ，１９３９）。このシステムのヘキサシアノ鉄（ＩＩ）酸塩は，電場
【００６２】
【数４−１】
2007503577.tif 000006
への応答として、その移動性Ｕについて記述されている。本方程式は以下となる：
【００６３】
【数４−２】
2007503577.tif 000007
ここでＩｓは安定状態の電流、βは比例定数、ｓはドリフト速度、
【００６４】
【数４−３】
2007503577.tif 000008
は電場である。Ａに対するｈの比率は、電池定数Ｋｃｅｌｌを得る既知の基準を使用し、較正段階で計算するのが一般的であった（Ａｔｋｉｎｓ，１９９９）。本例ではイオンが負数で運ばれるので、ドリフト速度は負数で与えられる。したがって負数でチャージされたイオンのドリフト速度は、付加電場に対して反対の方向となる。装置の性格については、Ｉｓに対して他の方程式も可能である。このサンプルでは、電気化学的電流から抽出した濃度情報を、ゆがめる恐れのある変数が多く存在する。現実の測定では、電池定数は電池ごとに異なることがあり得る。これは製造上の変動が、電池定数に影響する幾何学的係数を変えることがあるからである。さらに実際のサンプルの分析中、たとえばグルコース決定のための全血など、ドリフト速度等の分析物輸送特性はサンプル間での変化がよくある。例えばヘマトクリットのレベルが、血液中の化学種の移動に影響することが知られている。したがって濃度以外の係数による信号変化、例えば電池定数およびドリフト速度の変化が、電気化学的センサーシステムによる評価グルコース濃度を大きく変える可能性がある。
【００６５】
したがって困難なのは、分析物濃度以外の変化に起因する誤差を、例えば電池幾何学および輸送特性中の変化など、分析物濃度の評価を補正するため、定量化を可能とすることである。このように自動補正を達成する方法と装置は有用であろう。本発明の実施例には、測定の変化における濃度以外の環境源を、電極面積、電極分離、ドリフト速度や移動性に関する予備知識なしで、設定および補正する新しい装置と方法に付いて記載する。
【００６６】
濃度勾配によっては、種の移動のためアナログ的方法および装置も使用可能である。本実施例では両電極間の距離に伴う濃度勾配は、電気化学的反応によって創造され、またこの勾配に伴う種の移動は、拡散についてのＦｉｃｋ法によって記述できる。
【００６７】
【数５】
2007503577.tif 000009
ここでＤは拡散係数、ｄｃ／ｄｘは特定軸に沿う濃度勾配、またＦｌｕｘは単位時間内に本軸に平行の単位区域を移動する物質の量である。フラックスが安定状態に到達し、且つ電極が平行である例では、サンプルと構造間にぬれ域Ａが各電極にあり、そこで電極が距離ｈをもって分離されている場合、初回の少数担体の濃度Ｃは以下となる。
【００６８】
【数６】
2007503577.tif 000010
一方の電極では、電気化学的に消費され、他方では電気化学的に発生させた少数担体種の分子ごとに、ｎエレクトロンが交換されるとすれば、少数担体の運動によって発生する安定状態の電流Ｉｓは、以下ように与えられる：
【００６９】
【数７】
2007503577.tif 000011
ここでＦはファラデー定数である。このように電場
【００７０】
【数８】
2007503577.tif 000012
の勢力下の移動性Ｕについてのイオンの運動は、その拡散係数（単位を適切に調整した）に関しての運動に等しく、そこで条件ｎＦＤは、
【００７１】
【数９】
2007503577.tif 000013
として示すことができる（Ａｔｋｉｎｓ，１９９９）。このように本発明は拡散に関しても適用できよう。
【００７２】
本発明の実施例によれば、分析物濃度は、電池幾何学的等の装置係数、サンプル較正等のサンプル係数中の未知の変化による誤差の決定、補正によって改善できよう。化学的センサーの最大のチャレンジは、目標分析物の濃度を正確に決定することである。これは電極分離や粘度などの測定環境の変化が、分析物濃度の評価に影響するからである。かかる変化の効果に敏感であるが、分析物質濃度とは実質的に独立している装置と方法を、この変化源の評価、補正に使用できる。
【００７３】
具体化の一例によれば、異なる有効電極から生じる分析物濃度測定の誤差は、これらの特性に対して敏感だが、分析物濃度に非依存かまたは依存度が少ない装置と方法の使用により削減できる。これは電極面積の決定に使用可能で、変化を計算に入れた濃度評価の適用を許すものである。
【００７４】
具体化の一例によれば、異なる有効電極から生じる分析物濃度測定の誤差は、これらの特性に対して敏感だが、分析物濃度に非依存かまたは依存度が少ない装置と方法の使用により削減できる。これはサンプル中の分析物の移動性の決定に使用可能であり、これらを補正する分析物濃度の評価に使用できる。
【００７５】
本発明の実施例は、測定信号に影響し、且つ評価濃度に影響する測定システムのある種の測定変数の決定に関連する。一例では、幾何学的電池変数とサンプルの輸送特性を、代表的なサンプル係数と装置係数として、分析物濃度自身以外に採用するが、これが測定した信号に影響を及ぼす。電池定数ｈおよびドリフト速度ｓの一成分の効果は、有効輸送変数（ＰＴ）中に組み入れられ、電極面積条件から分離して考慮できる。特にＰＴは次式で与えられる：
【００７６】
【数１０】
2007503577.tif 000014
一般的な技術水準でも、アナログ的数式が濃度勾配の影響下のシステムに与えられ、これは拡散係数に関してよく記載している。この場合ＰＴは次式で与えられる：
【００７７】
【数１１】
2007503577.tif 000015
有効電極面積Ａは、我々の申請中の特許番号ＷＯ０３／０６９３０４に記載の方法で見出すことができる。このようにＰＴを決定する方法は、測定条件の完全な識別を許容し、濃度の更なる正確な評価を可能とする。望ましい実施例でＰＴは、電極面積とも分析物濃度とも実質的に独立する。しかしこれは要件ではなく、また本発明の範囲を制限するものでもない。本発明のひとつの実施例では、同時に発見すべき電池の幾何学的特性等の装置係数と、サンプルの輸送特性等のサンプル係数をともに記述し、環境係数、サンプル係数および装置係数から発生する測定信号中の変化に対して、さらに完全な自動補正を許容する。導電電池使用についての以前の技術では、各電導電池は個別の工程で較正し、環境係数、サンプル係数および装置係数より発生する測定信号中の変化に対する自動補正の手段を供与しないことを要求した。
【００７８】
図４に評価分析物濃度の正確性を向上させるべく、これら変化の自動補正の一方法を図示する。本図式は説明的な実施例で、本発明を制限するものではない。通常の技術水準でも、これらの工程は、規定順番通りにかならずしも実行する必要の無いことを認識するであろう。１個のサンプルを電池に適用する（工程２００）、ついで電位信号を電池に付加する（工程２０５）。この電位信号は、電池中の少なくとも１本の電極で、還元および／または酸化過程を発生させるものでなくてはならない。通常の技術水準でも、この電位信号は必ずしもサンプルを電池に接続後に付加する必要はなく、サンプルは信号が付加された後に接続してよいことを理解する。安定状態の電流は電池より決定する（工程２１０）。この電流は必ずしも時間的不変化電流の必要はない。これは時間的変化電流も、信号を表す特徴が安定状態に近づけば、安定状態と分類されるからである。
【００７９】
この安定状態の電流が一旦決定されると、電池の回路はオープンとなり（工程２１５）、両電極間の過渡電位が決定される（工程２２０）。一般的な技術者であれば、両電極間の電流を実質的にゼロに保つ方法は、電池をオープンサーキットにする以外の方法の可能性を認識するであろう。ひとつの他の方法として、トランジスター等の高インピーダンススイッチの使用がある。電池の回路開放の実施例（工程２１５）は、一例であり本発明を限定するものではない。例えばドリフト速度、移動性、拡散係数および／または電池定数に起因するもの等、環境変化のための補正係数は、電池回路開放前の安定状態電流、および電池回路開放後の過渡電位からの情報によって決定できる（工程２２５）。そこでこの補正係数は、環境源（工程２３０）による変化に対する測定安定状態信号の補正に使用可能で、その補正濃度評価は計算でき、且つ有用な形式（工程２３５）で出力可能となる。一般的な技術者であれば、変化の環境源の補正は、分離された厳密な工程でなく、その濃度の計算に統合可能なものと認識するであろう。また一般的な技術者は、分析物濃度以外のサンプル変数の情報も、分離された価値のある情報として、補正係数から抽出可能な事を認識する。これらの変数には、ヘマトクリット、温度および粘度がある。
【００８０】
ひとつの実施例では、Ｉｓ決定後、回路を開放し、電極間の過渡電位を決定する。これを実行する１つの実施例は、低電位運転モード（ここで電位を付加し電流を決定する、定電流運転モード（ここで設定電流を維持する−この場合、ほとんどゼロアンプ）の測定および制御スイッチを有し、電位を決定する。一般的な技術者であれば、電池回路の開放以外の実施例で、実質的にゼロアンプの達成が可能であることを認識するであろう。一例としては、トランジスターのような高インピーダンススイッチを使用して、回路を流れる電流を制限し実質的にゼロアンプとする。電池回路開放の例は、１つの実施例に過ぎず、本発明を限定するものではない。
【００８１】
一旦安定状態の電流が樹立されると、二つの電極間に濃度勾配が存在する。ＰＴに関連する係数は、両電極間に付加した電圧の除去にあたって、電極電位の緩和比率を測定することにより決定できる。付加電圧の無い場合、例えば濃度勾配など、種の安定状態的配分は不安定な場合、電気的活性種は、サンプル全体の分子をさらに安定的な濃度とするべく移動する。各電極におけるヘキサシアノ鉄（ＩＩ）酸塩イオンとヘキサシアノ鉄（ＩＩＩ）酸塩イオンの異なる相関濃度は、異なる化学的電位を与え、これらの化学的電位は、これらの濃度が平衡するにつれて時間とともに変化する。本情報は電位計量方法によってモニタリングすることができ、又測定した電位時間変化がＰＴと関連づけられた。ＰＴの測定を決定する方法の例には以下がある。
１．電位へ付加した電圧の除去点より特定値に達する時間。
２．付加電圧の除去後の特定点における電位。
３．以下のような付加電圧除去後の電位減衰率の測定：
−特定時間内における電位対時間のプロット点のスロープ。
−特定時間内における電位対時間の対数のプロット点のスロープ。
−特定時間内におけるＩＶ２対時間のプロット点のスロープ。ここでＶは電位をさす。
時間に伴う電位の変化のモニタリングで、ＰＴサイズの決定に他の単位量が使用できる。
【００８２】
電導電池センサーの例で、付加電位差の除去に際しての濃度プロフィールの緩和は、下記の関係で記載できる（Ａｔｋｉｎｓ，１９９９）：
【００８３】
【数１２】
2007503577.tif 000016
もし電導電池センサーが、電位の付加されている電流計測運転から、付加電位が除去された定電位運転に切替られ、且つ本サンプルでは実質的にゼロ電流が維持されており、電位はｔ＝０と測定されれば、その最初の緩和段階（ｔ＝０＋）では、勾配は以下で与えられ、ＰＴは計算できる：
【００８４】
【数１３】
2007503577.tif 000017
モニター使用電流とは逆に、（例えば米国特許：ＵＳ５９４２１０２，ＵＳ６１７９９７９，ＵＳ６２８４１２５を参照）電極での化学的電位のモニタリングは、したがって電極の面積とは独立した測定が許される。安定状態の濃度勾配が、電位差条件下で緩和した場合（例えば１極から他の極へ電子電流経由によるチャージの電気化学的移転のない場合）、その濃度プロフィールは変化するが、この電算シミュレーションモデルを図５に示す。
【００８５】
図５に示すシミュレーションの結果の電池では、陽極１０５の位置は図５のｘ＝０で、陰極１００の位置は図５のｘ＝１である。両電極間の距離は１単位に標準化してある。ヘキサシアノ鉄（ＩＩ）酸塩の濃度プロフィールは、時間とともに展開すると見られる。安定状態電流が実現し、回路開放前に、安定状態の濃度プロフィールが存在する。これを３００とする。回路はｔ＝０秒で開放し、その濃度プロフィールは以下の時間に示す：ｔ＝０．２秒３０５、ｔ＝０．４秒３１０、ｔ＝０．６秒３１５、ｔ＝０．８秒３２０、およびｔ＝１．０秒３２５。陽極１０５および陰極１００にての種の間の化学的電位差は、次式によって記述できる。
【００８６】
【数１４】
2007503577.tif 000018
ここでμはヘキサシアノ鉄（ＩＩ）酸塩とヘキサシアノ鉄（ＩＩＩ）酸塩のカップル、ａ（種）はその種の活動度、および下付き文字は電池中の位置を示す。種の活動度は濃度に関連するが、濃度からの純粋の予測により、熱力学的数量の変動を計算した形式がさらに理想的である；しかし濃度を使用して、電極における電位差を次式で近似できる：
【００８７】
【数１５】
2007503577.tif 000019
ここで［ヘキサシアノ鉄（ＩＩ）酸塩］ｅｌｅｃｔｒｏｄｅは占有する電極におけるヘキサシアノ鉄（ＩＩ）酸塩の濃度であり、ヘキサシアノ鉄（ＩＩＩ）酸塩はサンプル全体にわたり且つ関心のある各時間において、大きく超過しているものと推測される。この時間を通じた電圧の進展はモデル化されており、ＰＴ各値について図６に提示する。本図において電位はｔ＝０時間に回路解放後緩和するにつれて、以下のＰＴ各値について決定する：ＰＴ＝２８．７秒４２０、ＰＴ＝１９．２秒４１５、ＰＴ＝１１．６秒４１０、ＰＴ＝５．９秒４０５、ＰＴ＝３．８秒４００。この緩和の時定数上のＰＴには明確な効果がある。当業者には一般に、装置係数、サンプル係数、および／または環境係数によっては、電池仕様と測定方法等について、他の関係の存在が明らかであろう。
【００８８】
したがって電位差測定が、電位と時間間の変化からＰＴを決定するため使用できる。電位緩和の進展は、分析物濃度と電極面積とは実質的に独立しているものだが、しかしＰＴの関数であり、ＰＴ中の変化の補正係数を決定するに必要な方法を提供する。通常の技術者にとって、ＰＴ効果の定量化のため、この電位変化を使用する各種の方法が明らかであろう。かかる方法の例として、時間間隔中の電位緩和のスロープの決定、特定電位値に達するための時間の決定、および／または電位緩和の減衰率時定数の決定がある。
【００８９】
図６はＰＴのサイズの決定の一つの実施例を示す。本例では、電位差運転に切替後、電位差０．０６Ｖに達するに要した時間を、異なるＰＴ値について測定した。導電の電位差緩和にあたって与えられた電位差に達する時間が、ＰＴのサイズであり、したがって本発明の実施例はＰＴのサイズの決定手段を提供する。有効電極面積の値が決定された場合、有効電極面積および／またはＰＴ中の変化に影響を与えることのあるサンプル係数および環境係数（電池幾何や分析物輸送の効果などの係数を含む）を補正することが可能で、分析物濃度のさらに正確な評価を決定できる。たとえば、有効電極面積かって意の一方法は、ＰＣＴ０３／０６９３０４に発表されており、且つ上記にも記述した。本方法は、小振幅正弦波の電極への付加を含み、適切に較正された組合せにより、電極面積への結果としての正弦電流に関連している。サンプルがこのような導電電池電気化学的センサーで測定された場合、Ｉｓは直接測定および決定可能で、ＰＴは本発明の実施例である方法と装置により決定可能、Ａは前に記載した方法で決定可能、且つ他の定数は優先的に計算可能であり、濃度のより正確な評価を提供する。
【００９０】
図７Ａ−Ｃは導電電池電気化学的センサーの実施例を図示する。図７Ａはこれらの装置用の合成立体的図解を示す；図７Ｂは側面の図解式図面を示す；図７Ｃは幾らかの構成部品の図解式図面であるが、これらの構成部品は合成構造から分離しているものである。本実施例は実質的に平行な電極（１３２０と１３２５）の導電電池から構成され、電極は量１３４０で分離されサンプルの保持が可能で、実質的にサンプル室範囲を限定する。この量１３４０はここで「サンプル室」として参照する。各電極（１３２０と１３２５）は、実質的に非導電物質（１３００と１３０５）によって支持される。各電極（１３２０と１３２５）は、実質的に導電性の通路（１３３５と１３３０）により供与される電気的接続を有するが、これはまた実質的に非導電物質（１３００と１３０５）によって支持されている。二つの電極（１３２０と１３２５）の厚さは、リード線（１３３０と１３３５）の厚さと同等か、実質的に小さいか、または実質的に大きい。二つの電極は実質的に非導電性の物質（１３２５と１３１０）によって分離されている。サンプルが置かれる量（１３４０）は部分的に電極（１３２０と１３２５）によって限定され、および／または実質的に非導電性の物質（１３２０と１３１５）によって限定される。
【００９１】
模範的な実施例にあって、二面で実質的に平行なサンプル室１３４０の側面は、二つの電極（１３２０と１３２５）がまたがる面積によって、図７Ａ−Ｃ図解のように実質的に限定される。図７Ａ−Ｃの装置は、図２に示した電気化学的電池５０の具体化の一例を示す。一般の知識を有する技術者は、他の具体化も可能であることを認識する。たとえば電極は互いに実質的に平行である必要はないことである。他の例では、電極は同一の平面におけるが、これを図８に示す。この実施例では、電極２００５と２０２０は実質的に非導電性の基質２０００上の同一平面にある。電子式コネクター２０１０と２０１５は、電極（２００５と２０２０）とＴＣＡ間の電子式結合を供与する。このように電導電池に使用できる多くの異なる幾何学的仕様がある。本書で論じた例は、一つの実施例であり、本発明を限定するものではない。
【００９２】
図７Ａ−Ｃ装置では、二つの電極（１３２０と１３２５）が、電極Ａ５５または電極Ｂ６０として作動する。サンプル７０は実質的にサンプル室１３４０に位置する。変換器制御装置５との電気的接続は、実質的に導電性の通路（１３３５と１３３０）経由で達成可能で、これは変換器制御装置５と電気的な結合を可能とし、実質的に導電性の通路を、変換器制御装置５から電極（１３２０と１３２５）に至るまで提供する。図１３の電気化学的電池と変換器制御装置５を電気的に結合させる１つの実施例は、実質的に導電性リード（１３３０と１３３５）の各領域を、ＴＣＡ５の一部に接触させることである。このような方法のひとつの模範例としては、電極（１３２０と１３２５）と接触する領域から最も遠くにある実質的に導電性のリードの各領域と実質的に接続する方法を供与することである。図７Ａ−Ｃの図解では、実質的に非導電性物質１３１０にまで伸びる導電性のリード（１３３０と１３３５）の一部で示されている。通常の技術者であれば、図７Ａ−Ｃが示す化学的電池５０を変換器５と、電気的に結合させるほかの方法の可能性を認識するであろう。
【００９３】
ひとつの模範的な実施例では、図７Ａ−Ｃの装置が図３に示すプロセスにしたがって使用できる。一例では、電池中の電極１３２０の一つが陰極１００で、他の電極１３２５は陽極１０５である。他の例では、電池中の電極１３２５の一つは陰極１００で、他の電極１３２０は陽極１０５である。ヘキサシアノ鉄（ＩＩＩ）酸塩１２５とヘキサシアノ鉄（ＩＩ）酸塩１２０は、実質的にサンプル室１３４０中に位置している。電圧源１１０は変換器制御装置５によって供与され、電流１１５は、実質的な導電性リード（１３３０と１３３５）の部分である実質的な導電性通路にそって移行する。この移行過程（１３０と１３５）はサンプル室１３４０内で実質的に発生する。
【００９４】
（本発明の装置）
本発明の追加的面として、本発明を実行するに使用する装置について記載する。本発明は、電気化学的電池に配置されたサンプルの分析物の存在を決定するため、装置を提供する。この電気化学的電池は二極からなり、その間に分析用のサンプルが置かれる。この装置は以下により構成されている。
（ａ）電気化学的電池受入のスペースを有するハウジング、
（ｂ）電気化学的電池がハウジングに入れられた場合、その二極間に電位または電流を付加する手段（例えば定電位装置や定電流装置）、
（ｃ）電気化学的電池に電位や電流が付加されている場合（例えば両電極間の電流または電位差を測定・監視する回路）、発生する分析物検出システム中の分析物、または媒体の酸化や還元の測定手段、
（ｄ）両電極間に化学的電位勾配が樹立されて以後、電位または電流をオフに切り替える手段（たとえば電池を開路するスイッチ、または高インピーダンススイッチ）、
（ｅ）電位または電流がオフに切替られた後、化学的電位勾配の減衰をモニタリングする手段（例えば電極間の電位差を監視する回路）、
（ｆ）サンプル中の分析物の存在の指示をするため、測定した酸化や還元をモニタリングした減衰と結びつけるための、プログラム化データ処理手段（例えば本願書中に記載の工程を達成するプログラムを伴ったデータプロセッサー）、および
（ｇ）サンプル中の分析物の存在をユーザーに伝える出力手段。
【００９５】
装置は別々に供給されることもあるが、通常は電気化学的電池とともに、１回使用のテストストリップの形で使用する。装置にはテストストリップを受けるスロットがあり、また適切な信号発生および処理エレメントがあり、電位と電流を付加し、結果的電流や電位、および化学的電位勾配の減衰をモニタリングし、且つ結果の情報を評価の結果の表示に変換する。テストストリップは、特定の選択された分析物の検出に適切であれば、いかなるものでも好い。望ましい実施例では、ストリップには向き合う電極があり、両電極間のスペースは十分に短くて、酸化および還元種の勾配が、両電極間の距離の少なくとも１０％、できれば８０％から１００％まで伸びることが望まれる。一般的にこの距離は、２０から４００ミクロンである。表示はメーターの一部とすることができて、例えば、ＬＣＤ表示、ＬＥＤ表示、或いは可動コイルメーターの形式がある。この表示はメーターからは分離して、有線や無線通信によりメーターに接続も可能である。
【００９６】
図２２に本発明による装置実施例の外観を示す。ハウジング３０００は適切であれば如何なる材料でも製作可能だが、最も一般的には耐衝撃性のプラスチックで作られる。ハウジング３０００には開口部３００５があり、テストストリップと装置間の電気的接続のための電極とコネクターから構成される。表示３０１０はユーザーが読取り可能な形式で出力する。オプションとして、装置にスタートボタン３０１５を包含させられる。ただ分析物テスト処理用の装置のスタートには、挿入テストストリップの検出も使用できる。
【００９７】
（有効的な電極分離の決定）
分析物濃度の決定とは別に、もしくは共に、本発明の方法は電池内の二つの電極間の有効電極分離の決定に使用できる。したがって本適用は、電気化学的電池内の第一電極と第二電極間の有効分離距離を決定する方法を更に提供する。この方法には以下の工程が含まれる。
外的力を付加電位または付加電流の形で適用し、第一電極と第二電極間に化学的電位勾配を発生させる工程、
外的力の適用を中止する工程、
時間の関数としての化学的電位勾配の減衰を観察する工程、および
化学的電位勾配の観察された減衰から、有効電極分離距離を計算する工程。
【００９８】
（有効輸送特性の決定）
分析物濃度の決定とは別に、もしくは共に、本発明の方法は、電気化学的システムの有効輸送特性の決定に使用できる。有効輸送特性には、種の移動性、種の拡散特性、および有効電極分離を伴うこれら特性の組み合わせが含まれる。
【００９９】
下記の実施例は本方法と本発明の装置の具体化を示す。
【実施例】
【０１００】
（実施例１：ＰＴの変化の補正）
電気化学的センサー測定の正確性を増加するため、ＰＴを使用する一実施例を論議する。図９はＰＴと異なる分析物濃度の測定電流間に存在する関係の一実施例を示す。図９のデータは、実施例図３と７Ａ−Ｃ示す電導電池電気化学的センサーによって模擬したものである。図９は、１ｃｍ２の有効表面積の各電極から構成されるセンサーに対し、ＰＴの異なる値に対する電流（アンプ表示）の変化を示す。データ点を図９に安定状態の電流について示すが、これは２ｍＭヘキサシアノ鉄（ＩＩ）酸塩１４００と１ｍＭヘキサシアノ鉄（ＩＩ）酸塩１４０５からなるサンプルの、二つの電極間の電圧差０．４Ｖ付加により発生した安定状態電流についてである。測定した電流は分析物の濃度とＰＴの値に依存している事は明らかである。このようにＰＴの値の変化は信号の変化を惹起し、分析物濃度の測定に誤差をもたらすことになる。
【０１０１】
図１０は異なるＰＴの値の代表的な較正曲線を示して、本問題をさらに図示する。本図では、濃度はＸ軸にｍＭで表し、測定した安定状態の電流は、ｙ軸にアンプで表した。データ点１５００は４４．３ｓのＰＴ値と対応し、データ点１５０５は２０．６ｓのＰＴ値と対応し、データ点１５１０は６．５８ｓのＰＴ値と対応する。再びＰＴ値の変化により生ずる分析物評価の誤差を図示する。もし１つの特殊な較正を参照較正曲線として採用すれば、これは無条件にＰＴの特定値が測定に関連すると想定する。しかしＰＴ値が未知のサンプルを測定した場合に変化すれば、分析物濃度の結果的評価は誤りとなろう。
【０１０２】
図１１はＰＴ値が変化する場合発生する誤差のタイプの一実施例を示す。本実施例では、較正曲線は図１０のデータ点１５０５から構成される。この構成曲線は、ＰＴ値が２０．６ｓに等しいシステムについて決定された。本較正曲線を記載する方程式は以下の通りである。
【０１０３】
【数１６】
2007503577.tif 000020
ここでＩは測定した電流で、［ヘキサシアノ鉄（ＩＩ）酸塩］とはサンプル中のヘキサシアノ鉄（ＩＩ）酸塩の濃度である。このように電流の測定は、分析物の濃度の評価に使用可能で、この実施例ではヘキサシアノ鉄（ＩＩ）酸塩であり、サンプル中のものを上記の方程式を使用して行う。
【０１０４】
図１１は、もし較正曲線決定時に使用したＰＴ値と、ＰＴ  ｆｏｒ  ｔｈｅ  ｍｅａｓｕｒｅｍｅｎｔの値が異なる場合、分析物濃度の評価に現れる誤差を図示する。電流測定は、異なるＰＴ値について、２ｍＭヘキサシアノ鉄（ＩＩ）酸塩のシステムから決定する。ＰＴ値を変化させれば測定電流も変化する。評価方程式は特定ＰＴ値を有するシステムから決定された較正曲線で決定されるので、もし異なるＰＴ値を有するシステムで測定が行われると、結果としての評価方程式は不正確な評価を生み出す。図１１は異なるＰＴ値に対して発生する分析物評価の誤差を図示する。図１１のチャートのｙ軸は、次式によって決定されたヘキサシアノ鉄（ＩＩ）酸塩評価のパーセント誤差である：
【０１０５】
【数１７−１】
2007503577.tif 000021
Ｉｍｅａｓｕｒｅｄは測定電流、［ヘキサシアノ鉄（ＩＩ）酸塩］ａｃｔｕａｌはサンプル中（上記の２ｍＭ）の現実のヘキサシアノ鉄（ＩＩ）酸塩濃度、［ヘキサシアノ鉄（ＩＩ）酸塩］ｅｓｔｉｍａｔｅは較正データ１５０５を記述する方程式で決定の評価ヘキサシアノ鉄（ＩＩ）酸塩濃度である。図１６はＰＴ値が較正データ決定時の値と異なった場合、分析物濃度の評価誤差について示す。データ点は異なるＰＴ値に対する分析物濃度評価のパーセント誤差を示す。参考のため、較正データ１５０５決定時にはＰＴ＝２０．６ｓの値が使用されたことを注目すべきである。かくしてＰＴ値が２０．６ｓに等しいときは、図１１中は実質的にゼロパーセント誤差となる。
【０１０６】
またＰＴが増加すれば誤差の変化率は減少することも注目すべきである。同じように、ＰＴが減少すれば誤差の変化率は増加する。低い値のＰＴを上昇させる状態の一実施例は、導電電池の二つの電極間の距離が減少する場合である。例えば、図７Ａ−Ｃの電極１３２０と１３２５間の距離は、実質的に非導電性物質１３１０と１３１５の厚さを減らすことにより減少させ得る。この距離の削減によって、サンプル室１３４０の量もまた減少する。かくして分析物評価におけるＰＴの影響は、サンプル室１３４０の量が減少すれば増大し、少量のサンプル量のＰＴの変化に対し、正確に補正できることの有用性と重要性を際立たせている。
【０１０７】
ＰＴを使用して、ＰＴの変化に起因する誤差に対する分析物評価を補正する一実施例には、電位差緩和が特定電位差に到達必要なＰＴと時間ｔ間の関係の決定が含まれている。本実施例では、４００ｍＶのＤＣ電位差を、図３の模擬システム用の電極に付加した。安定状態電流が一旦樹立されると、電位差はシステムの回路開放によって除去され、これにより回路には実質的に電子流は無いことを保証し、そして両電極間の電位を時間に関連してモニタリングした。
【０１０８】
シミュレーションを異なる値のＰＴについて行い、時間による電位差の緩和を、これらの異なる値のＰＴについて決定した。この時間による電位の進展をモデル化し、ＰＴ各値について図５に記載した。本図では、電位を回路がｔ＝０時に開放された後、以降の値の緩和について決定した。ＰＴ＝２８．７秒４２０、ＰＴ＝１９．２秒４１５、ＰＴ＝１１．６秒４１０、ＰＴ＝５．９秒４０５、ＰＴ＝３．８秒４００。
【０１０９】
両電極間の電位の緩和率は、分析物濃度に実質的には依存していない。したがって本技術の有用性は、ＰＴ値を上昇させ、一方、分析物の濃度には実質的に影響されないシステムの特性を、モニタリングするのに使用できることである。緩和電流のモニタリングに依存し、分析物濃度に実質的に影響される以前の方法とは対象的である（米国特許：ＵＳ５９４１０２，ＵＳ６１７９９７９，ＵＳ６２８４１２５）。
【０１１０】
さらに電極間の電位差をモニタリングすることは、電極の面積には実質的に依存していない手段である。このことが、測定の変化を発生させる他の電位源を取去るという有用な利益となる。測定電流は有効電極面積とは無関係なので、これはモニタリングする緩和電流に依存する方法とはまったく異なる。
【０１１１】
ＰＴのサイズを抽出する実施例のひとつは、電位差緩和の開始から電位の特定値への到達の時間を決定することである。これは、電気化学的システムの回路開放時における電位の緩和率、または減衰率の時定数の大きさを定量化するための一単位である。
通常の技術者であれば、他の単位の使用も可能であることを認識する。それは、時間内の特定点の電位、特定時間内の電位対時間プロットのスロープ、特定時間内の電位の対数と時間のプロットのスロープ、および特定時間内の１／Ｖ２対時間のプロットのスロープである。ここでＶは電位を示す。図１２はＰＴと電位差０．０６に達する時間ｔの関係を示す。ここでｔ＝０は、システムの回路が開放された時間である。この実施例では、図６のデータ緩和電位が、０．０６Ｖと実質的に等しい値に達した時間の決定により解析した。このようにＰＴの各値は異なる減衰電位となり、且つ電位が０．０６Ｖと実質的に等しい値に達したときの異なる時間と対応する。図１２はしたがってＰＴとＰＴ値のサイズ間に存在する関係を示す。本実施例では、ＰＴの０．０６に達する時間をとり、測定可能な電位差緩和データから、ＰＴを決定するに必要な数学的関係を供与する。本実施例中、ＰＴと規定電位に達する時間の間を観察する。
【０１１２】
【数１７−２】
2007503577.tif 000022
他の関係も存在するであろうし、このような関係は準備された測定によるが、これに
は電気化学的電池の幾何学が含まれる。
【０１１３】
本電位差緩和測定は、分析物濃度と実質的には独立しているので、分析物濃度により実質的に影響されないＰＴサイズの評価に使用可能である。このＰＴサイズはＰＴ値の変化によって生じる分析物評価の誤差の調整に使われる。本実施例中、較正曲線はＰＴ＝２０．６ｓのシステムについて決定した。先に論じたように、一つの分析物の濃度を評価する方程式は以下の通り：
【０１１４】
【数１８】
2007503577.tif 000023
その分析物種の移動性の条件である。通常の技術者は、システムの性格によるが、他の形式も可能であることを認識するであろう。以前論議した一実施例では、分析物の濃度は下式による拡散特性に関して与えられる：
【０１１５】
【数１９】
2007503577.tif 000024
実際には較正曲線は経験的に決定される。これは関連するすべての成分を個別に決定するより、実験による比例定数の決定のほうが便利な事が多いからである。たとえば、上記のように分析物移動性に関して記載のシステムでは、図１０記載の較正データを記述する方程式は以下となる。
【０１１６】
【数２０】
2007503577.tif 000025
比例定数λは、濃度評価での関連変数の効果を含む。本データ１５０５は、ＰＴ値が２０．６ｓに等しいシステムにて取得したものなので、上記のとおり定数λはＰＴ値を明白に包含するよう表示できる。そこでこれを、分析物評価に誤差をもたらすＰＴの変化に対し、有用な調節に使用できる。
【０１１７】
ＰＴの変化に起因する分析物濃度の誤差補正の一実施例では、ＰＴの変化を計算して較正曲線の記述を調整している。もっと一般的にいえば、較正曲線の比例定数λは、ＰＴｃａｌｉｂｒａｔｉｏｎで示される較正データ関連の、ＰＴ値について与えられる。本実施例ではλの値は、その量（ＰＴｃａｌｉｂｒａｔｉｏｎ／ＰＴｍｅａｓｕｒｅｄ）によって以下のように調整される。
【０１１８】
【数２１】
2007503577.tif 000026
ここでＰＴｍｅａｓｕｒｅｄは測定電流信号Ｉｍｅａｓｕｒｅｄと関連するＰＴの値である。このことはサンプル測定時ＰＴの変化に応答して、変数λの調整を許容するが、これは部分的には較正曲線を定義するものである。実質的にＩｍｅａｓｕｒｅｄから独立のＰＴのサイズと分析物濃度の取得によって、分析物濃度の評価に使われる較正曲線は、分析物濃度の評価における誤差を減少するよう調整できる。本発明の実施は、ＰＴ値の決定の方法を供与するが、これは分析物濃度および測定電流から実質的に独立しているものである。ＰＴの変化を調整する方法の一実施例は、ＰＴのサイズを決定し、また一部較正曲線の定義変数を調整する本発明を使用することである。本方法の実施の一例として、較正係数λを補正係数（ＰＴｃａｌｉｂｒａｔｉｏｎ／ＰＴｍｅａｓｕｒｅｄ）で乗じ、この調整したλ値を分析物濃度の評価に使用する。以下の方程式がこの実施例を示す。図１０中の較正データ１５０５より、本データを実質的にモデル化するため方程式を決定する。
このような方程式を決定する一実施例は、広く知られている直線回帰技術を使い、本データ１５０５を最もよく記述する直線方程式を見出すことである。このような方程式を以下に記載する。
【０１１９】
【数２２】
2007503577.tif 000027
他の関係も可能であり、その電気化学的センサーシステム、環境係数、装置係数、および／またはサンプル係数の性質によるであろう。
【０１２０】
ＰＴの変化に起因する分析物濃度評価中の誤差を補正する他の例は、ＰＴの変化を計算するよう測定値を調整することである。較正曲線方程式の類似の分析によれば、測定電流Ｉｓｍｅａｓｕｒｅｄは、以下のように（ＰＴｃａｌｉｂｒａｔｉｏｎ／ＰＴｍｅａｓｕｒｅｄ）の係数によって調整される。
【０１２１】
【数２３】
2007503577.tif 000028
ＰＴの変化に起因する分析物濃度評価中の誤差を補正する他の例では、ＰＴの変化を計算するよう測定値を調整することである。較正曲線方程式の類似の分析によれば、推定濃度Ｃｅｓｔｉｍａｔｅｄは、以下のように（ＰＴｃａｌｉｂｒａｔｉｏｎ／ＰＴｍｅａｓｕｒｅｄ）の係数によって調整される。
【０１２２】
【数２４】
2007503577.tif 000029
ＰＴの変化を補正する他の調整も可能で、調整の形式は装置係数、環境係数、および／または測定システムに関連するサンプル係数による。
【０１２３】
図１０は異なるＰＴ値に起因する較正曲線の差異を示す。データ点１５１０はＰＴ＝６．５８のシステムから、データ点１５０５はＰＴ＝２０．６のシステムから、データ点１５００はＰＴ＝４４．３のシステムからのものである。異なる較正曲線に現れるとおり、ＰＴ値の変化に伴ってセンサーの応答も変化する。もしセンサーシステムがＰＴ特定値で開発され較正された場合、センサーが使用されたときのＰＴ値は、同一センサー読取りを持続的に維持するため、実質的に同一でなければならない。しかしセンサー使用時のＰＴ値が異なれば、測定は不正確となろう。センサー使用時のＰＴ値の異なる例としては、導電電池の両電極間の距離についての製造上の変動、およびサンプル中の種の有効移動性の変動などがある。
【０１２４】
図１１はＰＴの変動によって発生可能な誤差のタイプの実施例を示す。本実施例では図３の処理中に提供された図２のシステムをＰＴ＝２０．６ｓでシミュレートする。分析物濃度の評価の誤差は、ＰＴ＝２０．６ｓで取得した値のパーセントで表示する。ＰＴが２０．６ｓ以下に減少すると、評価分析物濃度は急速な率で増加し、不適切に高い評価をもたらす。ＰＴが２０．６ｓ以上に増加すると、評価分析物濃度は減少し、不適切に低い評価をもたらす。小さいＰＴ値の場合、分析物濃度の評価は、大きなＰＴ値の場合よりはるかに敏感なことに注目すべきである。少量の場合は電極間のスペースは小さく、ＰＴの変動を補正する能力は、更に大きく且つ有用となる。同様に高い移動性および／または高い拡散性の種からなるシステムでは、ここでもＰＴが小さいので、ＰＴの変動を補正する本発明の有用性と価値が示されている。
【０１２５】
図１３Ａ−Ｃは、ＰＴの変動による評価を補正するシナリオを示す。これらの実施例では、３ｍＭの分析物濃度を、ＰＴ＝２０．６ｓで較正されたシステムで使用する。図１３Ａ，１３Ｂおよび１３Ｃでデータ点１７００は、異なるＰＴ値のセンサーで行った測定時に、分析物濃度がいかに変化するかを示している。予想通りセンサー値が実質的に２０．６ｓであれば、評価濃度は３ｍＭの補正値に実質的に接近する。図１３はＰＴの変動を計算することによって、最終評価分析物濃度を補正した効果を示す。データ点１７０５は、補正処理後の評価分析物濃度で、センサー測定用のＰＴ値に基づいて、データ点１７００中の評価濃度値を調整するものである。図１３Ｂは較正曲線をＰＴの変動を計算するよう調整することによって、最終分析物濃度を補正する効果を示す。データ点１７１０は補正処理後の評価分析物濃度で、センサー測定用のＰＴ値に基づいて、データ点１７００中の評価濃度値を調整するものである。図１３Ｃは測定電流信号をＰＴの変動を計算するよう調整することによって、最終評価分析物濃度を補正する効果を示す。データ点１７１５は補正処理後の評価分析物濃度で、センサー測定用のＰＴ値に基づいて、データ点１７００中の評価濃度値に使用する測定電流信号を調整するものである。このように本発明の実施例は、ＰＴの変動により発生する分析物濃度評価の誤差の減少にとって、有用である事は明白である。
【０１２６】
図１４Ａ−Ｃはフローチャート形式で本発明の実施例を示す。本書で論じた様に本発明に使用可能な異なる実施例がある。図１４Ａ−Ｃでは図４の工程２２５，２３０および２３５の実施例の図示によって、図４の工程を更に詳細に示す。
【０１２７】
図１４Ａは一実施例を示し、そこでは図１３の例で示したように、最終分析物評価に調整を加える。この実施例では、過渡電位を決定する（工程２２０）。ついでＰＴのサイズを定量化する（工程１８０５）。ＰＴのサイズを較正データと比較し、ＰＴの有効値を決定する（工程１８１０）。ＰＴの有効値は、ＰＴの変動を決定するための分析物評価の調整に使用する（工程１８１５）。調整済みの分析物濃度を有用な形式で出力する（工程１８２０）。
【０１２８】
図１４Ｂは一実施例で、そこでは図１３Ｂにて示したように、ファラデー信号成分の測定に調整を加える。本実施例では、過渡電位を決定する（工程２２０）。ついでＰＴのサイズを定量化する（工程１８０５）。ＰＴのサイズを較正データと比較し、ＰＴの有効値を決定する（工程１８１０）。ＰＴ値の有効値を使用して、ファラデー信号成分の測定を調整し、ＰＴの変動を計算する（工程１８２５）。調整したサイズのファラデー信号成分をファラデー較正データとともに使用し、分析物濃度を評価する（工程１８３０）。分析物濃度の評価を有用な形式で出力する（工程１８２０）。
【０１２９】
図１４Ｃは較正データに調整を加えた一実施例を示すが、これは図１３の例で示している。この実施例では、過渡電位を決定する（工程２２０）。ついでＰＴのサイズを定量化する（工程１８０５）。ＰＴのサイズを較正データと比較し、ＰＴの有効値を決定する（工程１８１０）。ＰＴの有効値を使用して、ファラデー較正データを調整し、ＰＴの変動を計算する（工程１８３５）。調整したサイズのファラデー較正データをファラデー信号成分とともに使用し、分析物濃度を評価する（工程１８４０）。分析物濃度の評価を有用な形式で出力する（工程１８２０）。
【０１３０】
（実施例２：酵素バイオセンサー実施例）
他の実施例にあっては、電導電池の電気化学的センサーはバイオセンサーによって作動する。この場合、化学的反応の組合せが、電導電池の電気化学的センサーに検出されるべき分析物を生産する。この一実施例を図１に示すが、そこで酵素グルコースオキシダーゼがグルコースと触媒反応する。この実施例では、グルコース５００はグルコースオキシダーゼの酸化形式、ＧＯＤｏｘ５１０に反応し、酵素を還元された形式ＧＯＤｒｅｄ５１５に変換し、且つグルコノラクトン５０５を生産する。ＧＯＤｒｅｄ５１５はヘキサシアノ鉄（ＩＩＩ）酸塩に反応しＦｅ（ＣＮ）６３−５２５をその酸化状態のＧＯＤｏｘ５１０に戻そうとして、ヘキサシアノ鉄（ＩＩ）酸塩、Ｆｅ（ＣＮ）６４−５２０を産生する。このようにグルコースの濃度は、本発明の実施例である方法と装置により、ヘキサシアノ鉄（ＩＩ）酸塩の決定によって評価できよう。
【０１３１】
測定電流は較正曲線方程式によって、グルコース能度と関係づけられる。この方程式の一例は以下のとおりである。
【０１３２】
【数２５】
2007503577.tif 000030
ここで
【０１３３】
【数２６】
2007503577.tif 000031
は評価グルコース濃度、
【０１３４】
【数２７】
2007503577.tif 000032
は比例定数、そしてＩＳｍｅａｓｕｒｅｄは測定電流である。ＰＴの変動を補正する係数の一例は、電導電池の電気化学的センサーに対する上記の処理に従い、アナログ補正方程式を展開し、それにより測定ＰＴを較正曲線、測定電流、または濃度評価の調整に以下のように使用する：
【０１３５】
【数２８】
2007503577.tif 000033
ここで
【０１３６】
【数２９】
2007503577.tif 000034
は、グルコース濃度評価に使用する導電電池バイオセンサーの、較正曲線決定時に取得したＰＴ値であり、
【０１３７】
【数３０】
2007503577.tif 000035
は導電電池バイオセンサーのグルコース測定時に取得したＰＴ値であり、また
【０１３８】
【数３１】
2007503577.tif 000036
は補正したグルコース濃度である。
【０１３９】
（実施例３：変換器制御装置の実施例）
図５の変換器制御装置５の一実施例を論議する。図１５は変換器制御装置５の一実施例の図式を示す。二つの電極２１００と２１０５は、実質的に導電性の通路２１１０と２１１５によってＴＣＳ５に組み付けられている。刺激印加ユニット２１５０が、電位差を導電性通路の２１１０と２１３０の間に与える。刺激印加ユニット２１５０は正しく電位差を変化させる。電流定量化ユニット２１２０は、リード２１１０に流れる電流をモニタリングする。通常の技術者であれば、リード２１１０に流れる電流は、リード２１１５と２１３０に流れる電流と、実質的に同一なことを認識するであろう。電流定量化ユニット２１２０は、リード２１１５または２１１０の代わりのリード２１３０に接続可能である。この実施例は、本発明を限定するものではない。スイッチユニット２１３５は、リード２１３０と２１１５を接続または切断できる。このスイッチユニットはＴＣＡ５の電流を実質的にゼロアンプに強制可能である。通常の技術者であれば、電流を実質的にゼロアンプに強制する方法は、他にもあることを認識するであろう。例えば高インピーダンス回路エレメントに切り替えることである。スイッチユニット２１３５の例には、ＭＯＳＦＥＴスイッチ（例えばアナログ装置からのＡＤ１４７チップ）；電子機械的スイッチ；および機械式スイッチ等である。
【０１４０】
スイッチユニット２１３５は、リード２１１０と短路および／または閉路するよう接続できる。通常の技術者であれば、電流が実質的に阻害されない作動モードと、電流が阻害される作動モードを変えるため、異なる配置と作動オプションがあることを認識するであろう。電位定量化ユニット２１２５は、リード２１１５と２１１０間の電位差をモニタリングする。この電位差は電極２１０５と２１００間の電位差と関係する。望ましい実施例では、リード２１１５の電位は、電極２１０５の電位と実質的に等しく、又リード２１１０の電位は、電極２１００の電位と実質的に等しい。
【０１４１】
ＴＣＡ５が電流モードで作動時、スイッチ２１３５閉路作動モードで、電位差が刺激印加ユニット２１５０によって印加され、結果としての電流は、電流定量化ユニットでモニタリングされ、又電位は電位定量化ユニット２１３５によってモニタリングされる。システムが電位差作動モードに切替られると、スイッチ２１３５は、開路または高インピーダンス作動モードとなり、電流定量化ユニット２１２０は、ゼロアンプが期待されている電流をモニタリングし、又電位定量化ユニットは、緩和減衰に従うことが期待されている電位差をモニタリングする。
【０１４２】
ＴＣＡ５の更に詳細な実施例を図１６に示す。回路エレメント２２２０は、例えば接地等の参照電位との実質的な導電性通路（リード）である。太線は実質的に導電性の通路（リード）を示す。刺激性電位をリード２２１５と接地リード２２２０間に印加する。スイッチユニット２２３０が閉路モードの場合、リード２２２５と２２５０は実質的に同一の電位であり、増幅器２２００は、リード２２１５の場合と同じく、リード２２５０の電位を実質的に維持する。このような増幅器２２００の一例は、作動増幅器（ｏｐアンプ）である。リード２２５０は電極２２４０に接続する。第二増幅器２２０５は、一方の接続を接地２２２０と維持し、他の接続をリード２２６５経由で電極２２４５と維持する。フィードバック抵抗器２２５５が、リード２２６５をリード２２６０に接続する。リード２２６０と接地リード２２２０間に存在する電位差は、電気化学的電池を流れる電流と関係する。他の増幅器はリード２２５０と２２６５間の差異をモニタリングし、それにより電極２２４０と２２４５間に存在する実質的に同一の電位をモニタリングする。この増幅器２２１０の一例は、差動増幅器である。他の例は計測増幅器である。リード２２７０と接地リード２２２０間の電位差は、リード２２５０と２２６５間の電位差と関連する。スイッチユニット２２３０が回路開放作動中、増幅器２２００は実質的にゼロ電流のリード２２５０と電極２２４０間の流れを保証する。このようにリード２２６０の電位は、接地リード２２２０の電位と実質的に同一である。電極２２４０と２２４５間の電位は、増幅器２２１０によってモニタリングされ、リード２２７０と接地リード２２２０間の電位差により明白となる。
【０１４３】
（実施例４：ＰＴ定量化の他の単位）
上述したように、ＰＴのサイズを抽出する他の実施例は、電位差信号の緩和率を決定することであり、これは図１７に示すように、特定時間中の１／Ｖ２対時間のスロープの決定による。図１７は異なるＰＴ値に対する時間の関数としての、電位差緩和信号の図式である。本例では電位差緩和はｔ＝０時に開始した。これは例えば電気化学的電池回路の実質的開放による。ｙ軸は１／Ｖ２の関数をプロットするが、Ｖはｔ１からｔ２にいたる時間中の測定電位である。データトレース２４００、２４０５、２４１０、および２４１５は、異なるＰＴ値での測定による緩和信号である。本例では、データ２４００と関連のＰＴ値が、データ２４０５と関連するＰＴ値より小さく、これはデータ２４１０と関連のＰＴ値より小さく、またデータ２４１５と関連のＰＴ値より小さいことになる。本例で１／Ｖ２と時間の間に実質的な線形関係のあることが明白である。このように緩和率のサイズは、時間内の本データのスロープの決定により取得可能となる。例えば時間ｔ１とｔ２の間である。スロープは線形代数の周知の手段によって計算可能で、これには最小自乗法を含むが、これに限るものではない。
【０１４４】
図１８はＰＴを定量化する図式例を示す。ＰＴのサイズと関係する較正曲線が較正できる。図１８で図式化された例は、１／Ｖ２対時間の関数を示し、ｙ軸上ではｆ（スロープ）として表示され、ＰＴのサイズとして使用できる。かかる関数の一実施例は、
【０１４５】
【数３２】
2007503577.tif 000037
ここでスロープは、部分時間における１／Ｖ２対時間のプロットのスロープである。図１８で、点２５００は図１７のデータトレース２４００に対応し、点２５０５は図１７のデータトレース２４０５に対応し、点２５１０は図１７のデータトレース２４１０に対応すし、点２５１５は図１７のデータトレース２４１５に対応する。このようにＰＴのサイズは、測定電位差データから計算できる。一旦ＰＴのサイズが決定すれば、この値は上述の通り、更に正確な分析物濃度の評価を得るため、各量を調整するのに使用できる。
【０１４６】
（実施例５：過渡システムでの補正の実行）
本発明はシステムが安定状態に達していない場合でも、使用可能である；この状態は一般的に過渡状態として知られている。過渡状態のシステム例には、時間とともに変化するサンプルの濃度プロフィール、および平衡状態に達していない化学反応を含むが、これに限るものではない。
【０１４７】
安定状態システムと過渡状態システムのひとつの違いは、安定状態システムで発生する信号は、電極間の分離距離条件の重要な情報、および／またはサンプルの輸送特性に関する輸送条件についての情報（例えば有効拡散係数または移動性条件）を含むと期待されることである。上述のように例えば、ＰＴは部分的に有効電極分離条件ｈ、またはサンプルの輸送特性に関連する他の条件、例えば拡散条件Ｄ、ドリフト速度条件ｓ、および／または移動特性条件Ｕ等で記述可能である。過渡システムで発生した信号は、電極間の分離に関連する距離についての、重要な情報を含むとは期待されないが、サンプルの輸送特性に関連する情報を含んでいると期待できよう。しかし過渡システムにあっても、有効距離条件に係わる十分な情報があり得る。しかしその距離条件は、電極間の幾何学的距離と直接の関係はないのである。
【０１４８】
安定状態システムでは、化学的情報が１つの電極から他の電極へ、サンプルを通して大きく伝達される。これは他の電極で起こったプロセスにより混乱した一方の電極の周辺での、化学種の濃度勾配による。この一例は一方の電極の反応産物が、他の電極に到達する時である。過渡システムでは、サンプルを通じて片方の電極から、他の電極に移転する化学的情報は多くない。たとえば一方の電極の反応産物は、他の電極に実質的に到達していないので、両電極間の距離サイズの情報は、ほとんど無いと思われる。しかしサンプルの分析物輸送に関する情報は期待できる。たとえば、拡散条件に係わる輸送条件、移動性条件や有効通路長度条件がある。この有効通路長度条件の一例としては、物質を構成するサンプル中の分析物輸送に係わる有効距離条件であり、たとえば赤血球細胞や他の物体である。サンプル中の物体は、サンプル中の分析物の輸送に影響し、そのために過渡システム中の輸送関連の変化を補正する能力は、センサーシステムの正確性、および／または精密性の向上に有用且つ有利となろう。
【０１４９】
図１９は過渡システムの電流信号について図式例で示す。本例では、異なるグルコース濃度に対応する三つの電流トレースを示す。トレース２９００は少なくとも濃度、トレース２９０５は中間濃度、トレース２９１０は最高濃度である。信号は時間別に六つの領域に分割される。本例では、サンプルはｔ＝０でサンプル室に導入されるが、この時点で電位は拡散発生限度レベルに工程アップした。ｔ＝０からｔ＝ｔ１の電流の増加は、電気容量の二重層充電に大きく寄与する。電流のｔ１からｔ２への減少は、二重層安定のため大きく寄与する。電流のｔ２とｔ３間の増加は、還元媒体、この場合ヘキサシアノ鉄（ＩＩ）酸塩だが、サンプル中の分析物と化学反応の増進に大きく寄与する（本例の化学反応は、グルコースとの酵素反応）。電流はｔ３時で部分的最高に達し、この点で酵素反応の進行は、電気活性化種（本サンプル中の媒体）の拡散処理による電極への輸送で平衡する。結果として、ｔ３時以降の下降につながる。ある場合には、減少を続ける下降電流は、測定進行中の明瞭な準無限拡散プロフィールである。
【０１５０】
電流信号の下降は継続するので、本システムは過渡状態にあるといえる。過渡信号は、分析物濃度のサイズを決定するため、分析・定量化され、安定状態電流は本発明での使用は必要ではない。過渡電流で達成される分析の一例は、Ｃｏｔｔｒｅｌｌ方程式に関係する。もちろんＣｏｔｔｒｅｌｌ方程式は特定の測定条件に適用するが、他の方程式も、その測定条件に依存するシステムの記述に使用可能である。使用可能な方程式の一例は、部分時間内に１／Ｉ２のスロープの平方根を、グルコース濃度のサイズとして計算することである。図１９の図式例では、電流が酵素反応から実質的に独立後の部分時間（例えば大凡の時間ｔ３での電流ピーク後）、例えばｔ４とｔ５間の時間はかかる定量化に使用できる。本例では、Ｃｏｔｔｒｅｌｌ方程式に基づく方程式を、以下の通り過渡システムの電流の記述に使用可能である：
【０１５１】
【数３３】
2007503577.tif 000038
ここでｔ０は基準時間であり、他の記号はその通常の意味をもつ。αによるスロープ、およびＤは濃度サイズＣの決定に使用できる。Ｄが既知数のシステムでは、したがってスロープα（たとえば以下の評価方程式による）の決定で濃度を定量化することが可能である：
【０１５２】
【数３４】
2007503577.tif 000039
サンプル、装置、および／または環境係数が変化し、且つＤの明らかな値に未知の変化をもたらせば、問題が発生する。このような場合、濃度の評価Ｃは未知の状態で変化し、正確性および／または精密性を低下させる結果となる。
【０１５３】
このような過渡システムでは、電位差緩和をモニタリングする電位差モードに装置を切替え、システムに関連する輸送および／または通路長度の変化のサイズを決定することができる。本例では、電位差緩和をＤの有効サイズの決定に使用可能であろうし、それを濃度の評価に使用できよう。このように本発明の方法と装置は安定状態、または安定に近い状態のシステムを必要としない。本発明の方法と装置は過渡システムにて使用可能である。
【０１５４】
システムの過渡や安定状態性質に影響するひとつの係数は、電気化学的電池の幾何学である。この幾何学係数の一例は、電極間の有効長度である。有効長度が短いと、システムが安定状態に達するに必要な時間は一般的に短い。本例の安定状態とは、電流信号が安定状態近くの値に達した時と定義する。電極間の有効長度が長いと、安定状態に到達する時間は一般的に長くなる。したがって、作動が電流計測から電位計測に切り替えられた場合、システムが安定状態モードなのか、過渡モードなのかは、電極間の有効長度と作動モードが変化した時間による。例えば、有効分離が十分に大きくて、安定状態に与えられた時間内で到達しない場合、作動モードを過渡状態にあっても電位計測モードに切り替えられる。本発明のこの方法と装置を、過渡システムで使用するひとつのメリットは、測定が短時間で行えることである。例４の安定状態測定では、過渡測定について、１／Ｖ２と時間の間に実施的に線形関係がある。こうして緩和率のサイズは、時間内、例えばｔ１とｔ２間の本データのスロープの決定で取得できる。スロープは線形代数の周知の方法で計算できる。これには最小自乗法を含むが、これに限定するものではない。異なる電極幾何学については、他の関係が存在するであろう。
【０１５５】
図２０Ａ−Ｃは、電導電池ベースのバイオセンサーシステムによって発生する電流計測信号について、数例の図式を示す。図２０Ａ−は、電極間の有効分離距離が十分に大きく、応答信号の少なくとも一部分を過渡形式に従わせることを許すもので、これはＣｏｔｔｒｅｌｌ方程式に関連する緩和によって記述できる。本図は図１９記載例に類似しているが、ただ以下を除く。即ち信号が、Ｃｏｔｔｒｅｌｌ型緩和（ｔ４とｔ５間）と実質的に関連する準無限緩和から、過渡領域（ｔ５とｔ６間）を抜けて、最後に実質的に安定状態の値に（ｔ６以降）到達することである。各種の方程式および／または数式が、これらの異なる領域の信号応答を記述するのに使用できる。図２０Ｂは、電極間の有効分離距離が十分に大きく、拡散勾配緩和（ｔ３とｔ４間）を許容するが、しかし実質的に準無限（Ｃｏｔｔｒｅｌｌのような）緩和を経験しないで、実質的に安定状態電流値（ｔ４以降）に達するには小さすぎる。図２０Ｃは、電極間の有効分離距離が、重要な拡散緩和を経験しないで実質的に安定状態電流に達する（ｔ４以降）には小さすぎる。これらの図は酵素ベースバイオセンサーによって発生する信号の実施例であり、本発明を制限するものではない。通常の技術者であれば、他の信号応答も可能であり、且つ信号の形式は多くの係数に依存することを認識するであろう。この多くの係数とは、装置係数、サンプル係数、および環境係数を含むが、これに限るものではない。
【０１５６】
システムの過渡または安定状態の性質に影響を及ぼす他の幾何学係数は、電極の方位である。伝統的な電導電池の方向付けは、互いに面している実質的に平行の二つの電極から構成される電池に対してであった。これらは図７Ａ−Ｃの例で示すように、ほぼ同一の面積を有する。このような幾何学の主たる理由は、この方向が電池定数Ｋｃｅｌｌの決定に便利であるからである。しかし本発明の方法と装置は、電導電池作動に他の幾何学を許容するものである。例としては、実質的に共面電極および／または実質的に同心の電極から構成されている電池がある（例は図２１Ａ−Ｄに示す）
図２１Ａ−Ｄは、実質的に共面電極配置の数例を図形で示す。これらの図形では、配置は実質的に非電導基板２０００、少なくとも二つの電極２００５と２０２０、および少なくとも二つの実施的に導電性のリード２０１０と２０１５で構成される。実質的に導電性のリード（２０１０と２０１５）は、電極（２００５と２０２０）と分離した材料である必要はない。これらの図は実施例として提出したもので、本発明を制限するものではない。一般の技術者であれば、他の実施例も可能で、これには異なる形状、異なる方位、および／または異なる整列の電極があるが、これに限るものではない。
【０１５７】
システムの過渡や安定状態の性質に影響を与える他の係数はサンプル特性で、例えば拡散、移動性、通路長度、および／またはヘマトクリットレベルである。サンプル自体の特性は、種の輸送率を変更することができて、それにより実質的に安定状態システムに達する時間を変更する。
【０１５８】
したがって本発明は、ＰＴサイズの決定のための方法と装置を提供するが、システムが安定状態下であることを必要とせず、過渡システムにも実施できる。このことは実質的に測定時間の削減に有用である。これによりユーザーは、安定状態が達成されるまで待つ必要が無いからである。他の有用な利点は、異なる電池幾何学の使用も可能で、例えば電極の平行―対面、共面、および／または同心配置を含む。このような幾何学は、実質的な安定状態に早く且つ容易に達することはできない。更に本発明は過渡システムでも使用可能なので、実質的に安定状態の作動のため、電極を互いに接近させるべき要件はない。このように大規模で生産した電気化学的電池は、製造が容易、且つ低価格であることが知られている。
【０１５９】
熟練技術者であれば、追加的修正や変化を、本発明の範囲と精神から逸脱することなく達成することは明白である。
【０１６０】
ここで発表した本発明の仕様と実践を考慮すれば、熟練技術者にとって本発明の他の実施も明瞭であろう。
【０１６１】
（引用文献）
【０１６２】
【表１】
2007503577.tif 000040
【図面の簡単な説明】
【０１６３】
【図１】図１は、グルコース分析用の模範的な分析物検出システムの反応を示す。
【図２】図２は、本発明の実施例を示す。
【図３】図３は、電導電池の一般的運転を示す。
【図４】図４は、本発明による自動補正実行の一方法を示す。
【図５】図５は、電池開放後の異なる時間での、フェリシアン濃度と電気化学電池における標準化距離間の関係のコンピューターシミュレーションの結果を示す。
【図６】図６は、ＰＴの各値に対する時間の関数である電位の低下を示す。
【図７】図７Ａ−Ｃは、電導電池電気化学センサーの電気化学式電池の実施例を示す。
【図８】図８は、両側に電極のある電池を示す。
【０１６４】
【図９】図９は、ＰＴと異なる分析物濃度に対する測定電流間に存在しうる関係の一例を示す。
【図１０】図１０は、異なる値のＰＴに対する代表的な較正曲線を示す。
【図１１】図１１は、ＰＴの値が変化した場合起こり得る誤差タイプの一例を図示する。
【図１２】図１２は、ＰＴと０．０６Ｖ電位差に達するに必要な時間ｔの間の関係を図示する。
【図１３】図１３Ａ−Ｃは、ＰＴの変化により推算を補正するシナリオを図示する。
【図１４】図１４Ａ−Ｃは、本発明の実施例をフローチャートにて図示する。
【図１５】図１５は、変換器制御装置の一実施例の線図を図示する。
【図１６】図１６は、変換器制御装置の一実施例を示す。
【図１７】図１７は、ＰＴの異なる値に対する時間の関数としての、電位緩和信号の系統的表現を図示する。
【図１８】図１８は、ＰＴの測定を測定値より定量化した一例を図式的に示す。
【図１９】図１９は、過渡的システム用の電流計量信号を図示的に示す。
【図２０】図２０Ａ−Ｃは、電導電池ベースのバイオセンサーシステムに起こり得る数個の電流計量信号の例を図示する。
【図２１】図２１Ａ−Ｄは、実質的に同面上の電極の配置を数例図示する。
【図２２】図２２は、本発明による装置の実施例の外観を示す。
【図１】
2007503577.tif 000041
【図２】
2007503577.tif 000042
【図３】
2007503577.tif 000043
【図４】
2007503577.tif 000044
【図５】
2007503577.tif 000045
【図６】
2007503577.tif 000046
【図７ａ】
2007503577.tif 000047
【図７ｂ】
2007503577.tif 000048
【図７ｃ】
2007503577.tif 000049
【図８】
2007503577.tif 000050
【図９】
2007503577.tif 000051
【図１０】
2007503577.tif 000052
【図１１】
2007503577.tif 000053
【図１２】
2007503577.tif 000054
【図１３】
2007503577.tif 000055
【図１４】
2007503577.tif 000056
【図１５】
2007503577.tif 000057
【図１６】
2007503577.tif 000058
【図１７】
2007503577.tif 000059
【図１８】
2007503577.tif 000060
【図１９】
2007503577.tif 000061
【図２０】
2007503577.tif 000062
【図２１ａ】
2007503577.tif 000063
【図２１ｂ】
2007503577.tif 000064
【図２１ｃ】
2007503577.tif 000065
【図２１ｄ】
2007503577.tif 000066
【図２２】
2007503577.tif 000067
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
選択分析物の存在についてサンプルを評価する方法であって、該方法は、
（ａ）該サンプルを電導電池の二つの電極間の空間に導入する工程と、
（ｂ）分析物検出酸化還元系における分析物または媒体の酸化または還元をもたらすのに十分な電位または電流を、該二つの電極間に印加して、それによって、該二つの電極間に該分析物または媒体の化学的電位勾配を形成する工程と、
（ｃ）該勾配が確立した後、該電位または電流の印加を中止し、そして該化学的電位勾配の緩和を反映する分析物非依存性の信号を取得する工程と、
（ｄ）該分析物非依存性の信号取得後、該電極間に電位または電流を必要に応じて印加する工程と、
（ｅ）該工程（ｂ）または工程（ｄ）、あるいはその両工程で、該電位または電流を印加中に、分析物依存性の信号を取得する工程と、
（ｆ）該工程（ｃ）で取得した該分析物非依存性の信号を使用して、該工程（ｅ）で取得した該分析物依存性の信号を補正し、該サンプル中の該選択分析物の存在を示す補正された分析物依存性の信号を取得する工程と、
を包含する、方法。
【請求項２】
前記工程（ｂ）で前記電極間に電位を印加し、この印加された電位の結果として発生した電流を、前記分析物依存性の信号として測定する、請求項１に記載の方法。
【請求項３】
前記電位を安定状態条件に達するまで印加し、その後前記電流を測定する、請求項２に記載の方法。
【請求項４】
前記電流を安定状態条件に達する前に測定する、請求項２に記載の方法。
【請求項５】
前記工程（ｂ）の前記電極間に電流を維持し、この電流の結果として発生した電位を、前記分析物依存性の信号として測定する、請求項１に記載の方法。
【請求項６】
前記電流を安定状態条件に達するまで維持し、その後前記電位を測定する、請求項５に記載の方法。
【請求項７】
前記電位を安定状態条件に達する前に測定する、請求項５に記載の方法。
【請求項８】
前記化学的電位勾配が、緩和に先立って、前記電極間の距離の少なくとも１０％に広がる、請求項１から７のいずれかに記載の方法。
【請求項９】
前記化学的電位勾配が、緩和に先立って、前記電極間の距離の少なくとも８０％に広がる、請求項８に記載の方法。
【請求項１０】
前記サンプルが、血液サンプルであり、かつ前記選択分析物がグルコースである、請求項１〜９のいずれかに記載の方法。
【請求項１１】
電気化学的電池の第一電極と第二電極との間の有効分離距離を決定するための方法であって、該方法は、
外部の力を印加電位または印加電流の形で印加し、化学的電位勾配を該第一電極と該第二電極との間に配置した液体中で発生させる工程と、
該外部の力の印加を停止する工程と、
該化学的電位勾配の減衰を時間の関数として観察する工程と、
該化学的電位勾配の減衰の観察から、該有効電極分離距離を計算する工程と、
を包含する、方法。
【請求項１２】
電気化学的電池の第一電極と第二電極との間に配置された液体サンプル中の種の有効輸送特性を決定するための方法であって、該方法は、
外部の力を印加電位または印加電流の形で印加し、化学的電位勾配を該第一電極と該第二電極との間の該液体サンプル中に発生させる工程と、
該外部の力の印加を停止する工程と、
該化学的電位勾配の減衰を時間の関数として観察する工程と、
該化学的電位勾配の減衰の観察から、該電気化学的システムにおける種の有効輸送特性を計算する工程と、
を包含する、方法。
【請求項１３】
前記電極が、１回使用の使い捨て式テストストリップの一部である、請求項１〜１２のいずれかに記載の方法。
【請求項１４】
電気化学的電池に配置されているサンプル中の分析物の存在を決定するための装置であって、該電気化学的電池は、２つの電極を備え、該電極間に該サンプルが分析のために置かれ、該装置は、
（ａ）該電気化学的電池を受容するための空間を有するハウジングと、
（ｂ）該電気化学的電池が該ハウジング内に受容された場合、該電気化学的電池の該二つの電極間に電位または電流を印加するための手段と、
（ｃ）該電位または電流が印加されているとき、該電気化学的電池内に発生する、分析物検出システム中の、分析物または媒体の酸化または還元を測定するための手段と、
（ｄ）該二つの電極間に化学的電位勾配が確立される間の時間の後、該電位または電流を切断するための手段と、
（ｅ）該電位または電流を切断した後、該化学的電位勾配における分析物非依存性の変化をモニタリングするための手段と、
（ｆ）該測定した酸化または還元を、該モニタリングした分析物非依存性の変化と組合せて、該サンプル中の該分析物の存在の指標を生成するための、プログラム化データ処理手段と、
（ｇ）該サンプル中の該分析物の存在の該指標を、ユーザーに伝えるための出力手段と、
を備える、装置。
【請求項１５】
前記ハウジング内に配置された電気化学的電池をさらに備える、請求項１４に記載の装置。
【請求項１６】
前記電気化学的電池が、１回使用の使い捨て式テストストリップである、請求項１５に記載の装置。
【請求項１７】
前記ハウジングが、ヒトの手に保持され得るサイズのハウジングである、請求項１４から１６のいずれかに記載の装置。
【国際調査報告】
2007503577.tif 000068
2007503577.tif 000069
2007503577.tif 000070
2007503577.tif 000071
2007503577.tif 000072